(57)【特許請求の範囲】
【請求項１】
システムであって、
少なくとも１つの電子構成要素、および前記少なくとも１つの電子構成要素と通信するコネクタを受容するケーシングを備える電子モジュールと、
チャンバを画定し、かつ前記チャンバへのアクセスを提供する開口部を有し、それにより、前記電子モジュールが、前記開口部を通って前記チャンバ内に取り外し可能に挿入されるように構成される、ハウジングと、を備え、前記ハウジングは、前記電子モジュールが前記チャンバ内に受容されたときの前記電子モジュールの前記コネクタへの取り外し可能な電子接続のために構成されたインターフェースを含み、前記ハウジングが、前記ハウジングに接続された磁石をさらに含み、
前記電子モジュールは、前記電子モジュールが前記チャンバ内に受容されたときに前記磁石を検知するように構成されたセンサを含み、前記電子モジュールは、前記電子モジュールが前記ハウジングから外されて前記センサが前記磁石を検知しないときに、前記コネクタへの電力供給を非アクティブ化するように構成され、前記電子モジュールは、前記電子モジュールが前記ハウジングに受容されて前記センサが前記磁石を検知するときに、前記コネクタへの電力供給をアクティブ化するように構成されている、システム。
【請求項２】
前記インターフェースが、前記チャンバ内に露出された複数の電気接点を含み、前記コネクタが、前記電気接点を係合させるように構成された複数の端子を含む、請求項１に記載のシステム。
【請求項３】
前記センサが、ホール効果センサである、請求項１に記載のシステム。
【請求項４】
前記電子モジュールが、前記コネクタに給電するように構成された電源を含み、前記コネクタが、電源端子および接地端子を含む、請求項１に記載のシステム。
【請求項５】
前記ハウジングが、前記開口部の周囲に延在して、前記電子モジュールを係合させ、かつ前記電子モジュールを前記チャンバ内に保持する、リップを含む、請求項１に記載のシステム。
【請求項６】
前記コネクタが、ＵＳＢポートへの接続のために構成されている、請求項１に記載のシステム。
【請求項７】
前記ハウジングが、前記チャンバを少なくとも部分的に画定する容器と、前記容器に接続され、かつ前記インターフェースを前記チャンバ内からアクセス可能であるように支持するように構成された、キャリアと、を含む、請求項１に記載のシステム。
【請求項８】
前記キャリアが、凹部を含み、前記磁石が、前記チャンバに隣接して前記凹部内に装着されている、請求項７に記載のシステム。
【請求項９】
前記磁石は、前記キャリアおよび前記容器が、前記磁石を係合させて、前記磁石を定位置に保持するように、前記キャリアと前記容器との間に装着されている、請求項７に記載のシステム。
【請求項１０】
ハウジングであって、
容器であって、チャンバを画定する複数の壁を有し、かつ前記チャンバへのアクセスを提供する前記壁のうちの少なくとも１つを通る開口部を有し、それにより、前記容器が、電子モジュールを、前記開口部を介した前記電子モジュールの挿入によって前記チャンバ内で取り外し可能に受容するように構成されている、容器と、
前記チャンバ内に露出され、かつ前記電子モジュールが前記チャンバ内に受容されたときの前記電子モジュールのコネクタへの取り外し可能な電子接続のために構成された、複数の電気接点を含む、インターフェースと、
前記容器に接続され、かつ前記チャンバ内に露出されるように前記インターフェースの前記複数の電気接点を支持するように構成されたキャリアと、
前記ハウジングに接続された磁石であって、前記磁石の磁場が前記チャンバを貫通するように構成されている、磁石と、を備え、
前記磁石は、前記キャリアおよび前記容器が、前記磁石を係合させて、前記磁石を定位置に保持するように、前記キャリアと前記容器の前記複数の壁のうちの１つとの間に装着されている、ハウジング。
【請求項１１】
前記磁石が、前記ハウジング内に埋設され、前記チャンバに物理的に露出されていない、請求項１０に記載のハウジング。
【請求項１２】
前記キャリアが、凹部を含み、前記磁石が、前記チャンバに隣接して前記凹部内に装着されている、請求項１０に記載のハウジング。
【請求項１３】
前記容器が、前記チャンバを画定する複数の壁を有し、前記磁石が、前記複数の壁のうちの１つの外面上に装着されている、請求項１０に記載のハウジング。
【請求項１４】
前記電子モジュールは、前記電子モジュールが前記チャンバ内に受容されたときに前記磁石を検知するように構成されたセンサを含み、前記電子モジュールは、前記センサが前記磁石を検知しないときに、前記コネクタを非アクティブ化するように構成され、前記電子モジュールは、前記センサが前記磁石を検知するときに、前記コネクタをアクティブ化するように構成されている、請求項１０に記載のハウジング、および電子モジュールを備える、システム。
【請求項１５】
システムであって、
少なくとも電源を受容するケーシング、および前記電源と通信するコネクタを含む電子モジュールであって、前記コネクタが、複数の接続端子を有するＵＳＢ形式コネクタであり、前記ＵＳＢ形式コネクタが、コンピュータデバイスに接続されたＵＳＢポート内への挿入によるコンピュータデバイスとの通信のために構成されている、電子モジュールと、
チャンバを画定し、かつ前記チャンバへのアクセスを提供する開口部を有し、それにより、前記電子モジュールが、前記開口部を通って前記チャンバ内に取り外し可能に挿入されるように構成される、ハウジングと、を備え、前記ハウジングは、前記電子モジュールが前記チャンバ内に受容されたときの前記電子モジュールの前記コネクタへの取り外し可能な電子接続のために構成されたインターフェースを含み、
前記ハウジングの前記インターフェースが、前記チャンバ内に露出されて前記ＵＳＢ形式コネクタに物理的および電気的に係合される複数の接点を含み、前記ＵＳＢ形式コネクタに物理的および電気的に接続される前記複数の接点は、前記ＵＳＢ形式コネクタの前記複数の接続端子のうちの第１の端子に物理的および電気的に係合される電源接点と、前記ＵＳＢ形式コネクタの前記複数の接続端子のうちの第２の端子に物理的及び電気的に係合される接地接点とのみから構成され、それにより、前記電子モジュールの前記電源が、前記第１の端子および前記第２の端子を介して前記電源接点および前記接地接点を通して給電するように構成され、前記ＵＳＢ形式コネクタの前記複数の接続端子が、前記インターフェースによって物理的および電気的に係合されない追加の端子を含む、システム。
【請求項１６】
前記ＵＳＢ形式コネクタの前記複数の接続端子が、４つの接続端子を含む、請求項１５に記載のシステム。
【請求項１７】
前記電子モジュールが、前記ケーシング内に受容され、かつ前記ＵＳＢ形式コネクタを介した通信のために構成された、コンピュータ構成要素をさらに含む、請求項１５に記載のシステム。
【請求項１８】
前記ハウジングが、前記開口部の周囲に延在して、前記電子モジュールを係合させ、かつ前記電子モジュールを前記チャンバ内に保持する、リップを含む、請求項１５に記載のシステム。
【請求項１９】
前記ハウジングが、前記チャンバを少なくとも部分的に画定する容器と、前記容器に接続され、かつ前記インターフェースを前記チャンバ内からアクセス可能であるように支持するように構成された、キャリアと、を含む、請求項１５に記載のシステム。
【請求項２０】
前記キャリアが、第１のスロット、および前記第１のスロットに対して平行かつ並んでいる第２のスロットを含み、前記電源接点および前記接地接点が、接点ばねの形態であり、前記電源接点が、前記第１のスロット内に位置付けられ、前記接地接点が、前記第２のスロット内に位置付けられ、それにより、前記第１および第２のスロットは、前記電源接点および前記接地接点が、前記コネクタによって係合されたときに上向きに撓むための空間を提供する、請求項１９に記載のシステム。
【請求項２１】
着用可能な物品をさらに備え、前記ハウジングが、前記着用可能な物品に接続され、かつそれに支持され、前記着用可能な物品が、電動構成要素、および前記電動構成要素を前記システムの前記電源接点および前記接地接点に接続する導電性リードを含み、それにより、前記電子モジュールは、前記電子モジュールが前記チャンバ内に受容されたときに、前記導電性リードを通して前記電動構成要素に動力供給する、請求項１５に記載のシステム。
【請求項２２】
システムであって、
ユーザの身体上に着用されるように構成された着用可能な物品と、
前記着用可能な物品上に装着された発光デバイスと、
前記着用可能な物品上であって前記発光デバイスとは離隔された位置に装着されたハウジングであって、前記ハウジングが、チャンバを画定し、前記チャンバへのアクセスを提供する開口部を有し、前記ハウジングが、前記チャンバ内に露出された複数の電気接点を有するインターフェースを含む、ハウジングと、
前記複数の電気接点の１つと、前記電気接点から前記ハウジングの外側に延びるアームとをそれぞれ備えた複数の電気接点部材と、
前記発光デバイスを前記電気接点部材の前記アームに接続するとともに、前記ハウジングの外側において前記アームに接続される、複数の電気リードと、
少なくとも、電源、および前記電源と通信するコネクタを受容するケーシングを含む電子モジュールと、を備え、前記電子モジュールが、前記開口部を通って前記チャンバ内に取り外し可能に挿入されるように構成され、前記電子モジュールの前記コネクタは、前記電子モジュールが前記チャンバ内に受容されたときの前記インターフェースの前記電気接点への取り外し可能な電子接続のために構成され、
前記電子モジュールは、前記電子モジュールが前記チャンバ内に受容されたときに、前記インターフェースおよび前記電気リードを介して前記電源から前記発光デバイスに電力を提供するように構成されている、システム。
【請求項２３】
前記電子モジュールの前記コネクタが、ＵＳＢ形式コネクタであり、前記電子モジュールが、前記ケーシング内に受容され、かつ前記ＵＳＢ形式コネクタを介した通信のために構成された、コンピュータ構成要素をさらに含む、請求項２２に記載のシステム。
【請求項２４】
前記ハウジングが、前記開口部の周囲に延在して、前記電子モジュールを係合させ、かつ前記電子モジュールを前記チャンバ内に保持する、リップを含む、請求項２２に記載のシステム。
【請求項２５】
前記ハウジングが、前記チャンバを少なくとも部分的に画定する容器と、前記容器に接続され、かつ前記インターフェースを前記チャンバ内からアクセス可能であるように支持するように構成された、キャリアと、を含む、請求項２２に記載のシステム。
【請求項２６】
前記ハウジングが、前記ハウジングの外周の周囲に外向きに延在するフランジと、前記チャンバおよび前記開口部を画定する中心部分と、を含み、前記着用可能な物品が、前記フランジの周囲で前記ハウジングに接続され、前記中心部分が、開放され、かつ前記着用可能な物品の外部からアクセス可能である、請求項２２に記載のシステム。
【請求項２７】
前記ハウジングが、接合材料によって前記着用可能な物品に接続されている、請求項２２に記載のシステム。
【請求項２８】
アセンブリであって、
容器を含むハウジングであって、前記容器が、チャンバを画定し、かつ前記チャンバへのアクセスを提供する前記容器の上側上の開口部を有し、それにより、前記容器が、電子モジュールを、前記開口部を介した前記電子モジュールの挿入によって前記チャンバ内で取り外し可能に受容するように構成されている、容器と、
前記上側の反対の前記容器の下側上で前記チャンバの外側に位置付けられた第１の接点パッドを含む第１の接点部材であって、前記第１の接点部材が、前記第１の接点パッドから前記容器の壁を通って延在して、前記チャンバ内に露出された第１の電気接点を形成する、第１のアームをさらに含み、前記第１の接点パッドが、前記第１のアームに対して拡大された幅を有する、第１の接点部材と、
前記第１の接点パッドに隣接して前記容器の前記下側上で前記チャンバの外側に位置付けられた第２の接点パッドを含む第２の接点部材であって、前記第２の接点部材が、前記第２の接点パッドから前記容器の前記壁を通って延在して、前記チャンバ内に露出された第２の電気接点を形成する、第２のアームをさらに含み、前記第２の接点パッドが、前記第２のアームに対して拡大された幅を有する、第２の接点部材と、を備え、
前記第１の電気接点および前記第２の電気接点が、前記チャンバ内に露出され、かつ前記電子モジュールが前記チャンバ内に受容されたときの前記電子モジュールのコネクタへの取り外し可能な電子接続のために構成された、インターフェースを形成する、アセンブリ。
【請求項２９】
前記ハウジングが、キャリアをさらに含み、前記キャリアは、前記キャリアが前記容器内の空洞内に受容されるように前記容器と係合され、前記第１および第２の接点部材は、前記キャリアが前記第１および第２の電気接点が前記チャンバ内に露出されるように前記キャリアと係合されている、請求項２８に記載のアセンブリ。
【請求項３０】
前記キャリアが、第１のスロット、および前記第１のスロットに対して平行かつ並んでいる第２のスロットを含み、前記第１および第２の電気接点が、接点ばねの形態であり、前記第１の電気接点が、前記第１のスロット内に位置付けられ、前記第２の電気接点が、前記第２のスロット内に位置付けられ、それにより、前記第１および第２のスロットは、前記第１および第２の電気接点が、前記電子モジュールの前記コネクタによって係合されたときに上向きに撓むための空間を提供する、請求項２９に記載のアセンブリ。
【請求項３１】
前記容器内の前記空洞が、前記容器の外部に開放されている、請求項２９に記載のアセンブリ。
【請求項３２】
前記キャリアが、保持タブを含み、前記容器が、係合表面を含み、前記保持タブが、前記係合表面を係合させて、前記キャリアを前記空洞内に保持する、請求項２９に記載のアセンブリ。
【請求項３３】
前記第１および第２のアームが、前記第１および第２の接点パッドと前記第１および第２の電気接点との間で１８０°の屈曲を形成する、請求項２８に記載のアセンブリ。
【請求項３４】
前記第１および第２の接点パッド、ならびに前記第１および第２の接点パッドに隣接する前記容器の前記下側の部分を被覆する絶縁材料をさらに備える、請求項２８に記載のアセンブリ。
【請求項３５】
着用可能な物品を備えるシステムであって、前記第１および第２の接点パッドが前記着用可能な物品の内側上に位置するように、請求項２８に記載のアセンブリが前記着用可能な物品上に装着されており、前記着用可能な物品が、電動構成要素と、前記第１および第２の接点パッドから前記電動構成要素に延在する導電性リードと、をさらに含む、システム。
【請求項３６】
アセンブリであって、
ハウジングであって、
容器であって、チャンバを画定し、かつ前記チャンバへのアクセスを提供する開口部を有し、それにより、前記容器が、電子モジュールを、前記開口部を介した前記電子モジュールの挿入によって前記チャンバ内で取り外し可能に受容するように構成されている、容器と、
キャリアであって、前記キャリアが前記容器内の空洞内に受容されるように前記容器と係合された、キャリアと、を含む、ハウジングと、
前記容器の外部から前記チャンバ内に延在して、前記チャンバ内に露出された第１の電気接点を形成する第１のアームを含む第１の接点部材であって、前記第１の接点部材は、前記キャリアが前記チャンバ内に露出されている前記第１の電気接点を支持するように、前記キャリアと係合される、第１の接点部材と、
前記容器の前記外部から前記チャンバ内に延在して、前記チャンバ内に露出された第２の電気接点を形成する第２のアームを含む第２の接点部材であって、前記第２の接点部材は、前記キャリアが前記チャンバ内に露出されている前記第２の電気接点を支持するように、前記キャリアと係合される、第２の接点部材と、を備え、
前記第１の電気接点および前記第２の電気接点が、前記チャンバ内に露出され、かつ前記電子モジュールが前記チャンバ内に受容されたときの前記電子モジュールのコネクタへの取り外し可能な電子接続のために構成された、インターフェースを形成する、アセンブリ。
【請求項３７】
前記キャリアが、第１のスロット、および前記第１のスロットに対して平行かつ並んでいる第２のスロットを含み、前記第１および第２の電気接点が、接点ばねの形態であり、前記第１の電気接点が、前記第１のスロット内に位置付けられ、前記第２の電気接点が、前記第２のスロット内に位置付けられ、それにより、前記第１および第２のスロットは、前記第１および第２の電気接点が、前記電子モジュールの前記コネクタによって係合されたときに上向きに撓むための空間を提供する、請求項３６に記載のアセンブリ。
【請求項３８】
前記容器内の前記空洞が、前記容器の外部に開放されている、請求項３６に記載のアセンブリ。
【請求項３９】
前記キャリアが、保持タブを含み、前記容器が、係合表面を含み、前記保持タブが、前記係合表面を係合させて、前記キャリアを前記空洞内に保持する、請求項３６に記載のアセンブリ。
【請求項４０】
前記第１の接点部材が、前記容器の外面に隣接して前記チャンバの外側に位置する第１の接点パッドをさらに含み、それにより、前記第１のアームが、第１の接点パッドから前記第１の電気接点に延在し、前記第２の接点部材が、前記容器の前記外面に隣接して前記チャンバの外側に位置する第２の接点パッドをさらに含み、それにより、前記第２のアームが、前記第２の接点パッドから前記第２の電気接点に延在している、請求項３６に記載のアセンブリ。
【請求項４１】
前記キャリアが、前記容器の前記外部に露出されたベースと、前記ベースから前記空洞内に上向きに延在するネックと、前記ネックから前記チャンバ内に延在する棚板と、を含み、前記棚板が、前記第１および第２の電気接点に隣接して位置付けられている、請求項３６に記載のアセンブリ。
【請求項４２】
着用可能な物品を備えるシステムであって、前記第１および第２のアームが前記着用可能な物品の内側に延在するように、請求項３６に記載のアセンブリが前記着用可能な物品上に装着されており、前記着用可能な物品が、電動構成要素と、前記第１および第２の接点部材から前記電動構成要素に延在する導電性リードと、をさらに含む、システム。
【請求項４３】
アセンブリであって、
ハウジングであって、
容器であって、チャンバを画定し、かつ前記チャンバへのアクセスを提供する開口部を有し、それにより、前記容器が、電子モジュールを、前記開口部を介した前記電子モジュールの挿入によって前記チャンバ内で取り外し可能に受容するように構成されている、容器と、
キャリアであって、前記キャリアが前記容器内の空洞内に受容されるように前記容器と係合され、前記キャリアが、前記キャリアから外向きに突出する第１の支柱および第２の支柱を有する、キャリアと、を含む、ハウジングと、
前記チャンバ内に露出された第１の電気接点を有する第１の接点部材であって、前記第１の接点部材は、前記キャリアが前記チャンバ内に露出されている前記第１の電気接点を支持するように前記キャリアと係合され、前記キャリアの前記第１の支柱が、前記第１の接点部材内の第１の受容部内に圧入されて、前記第１の接点部材を前記キャリアに接続する、第１の接点部材と、
前記チャンバ内に露出された第２の電気接点を有する第２の接点部材であって、前記第２の接点部材は、前記キャリアが前記チャンバ内に露出されている前記第２の電気接点を支持するように前記キャリアと係合され、前記キャリアの前記第２の支柱が、前記第２の接点部材内の第２の受容部内に圧入されて、前記第２の接点部材を前記キャリアに接続する、第２の接点部材と、を備え、
前記第１の電気接点および前記第２の電気接点が、前記チャンバ内に露出され、かつ前記電子モジュールが前記チャンバ内に受容されたときの前記電子モジュールのコネクタへの取り外し可能な電子接続のために構成された、インターフェースを形成する、アセンブリ。
【請求項４４】
前記キャリアが、第１のスロット、および前記第１のスロットに対して平行かつ並んでいる第２のスロットを含み、前記第１および第２の電気接点が、接点ばねの形態であり、前記第１の電気接点が、前記第１のスロット内に位置付けられ、前記第２の電気接点が、前記第２のスロット内に位置付けられ、それにより、前記第１および第２のスロットは、前記第１および第２の電気接点が、前記電子モジュールの前記コネクタによって係合されたときに上向きに撓むための空間を提供する、請求項４３に記載のアセンブリ。
【請求項４５】
前記容器内の前記空洞が、前記容器の外部に開放されている、請求項４３に記載のアセンブリ。
【請求項４６】
前記キャリアが、保持タブを含み、前記容器が、係合表面を含み、前記保持タブが、前記係合表面を係合させて、前記キャリアを前記空洞内に保持する、請求項４３に記載のアセンブリ。
【請求項４７】
前記第１の接点部材が、前記容器の外面に隣接して前記チャンバの外側に位置する第１の接点パッドをさらに含み、第１のアームが、前記第１の接点パッドから前記第１の電気接点に延在し、前記第２の接点部材が、前記容器の前記外面に隣接して前記チャンバの外側に位置する第２の接点パッドをさらに含み、第２のアームが、前記第２の接点パッドから前記第２の電気接点に延在している、請求項４３に記載のアセンブリ。
【請求項４８】
前記キャリアが、前記容器の外部に露出されたベースと、前記ベースから前記空洞内に上向きに延在するネックと、前記ネックから前記チャンバ内に延在する棚板と、を含み、前記棚板が、前記第１および第２の電気接点に隣接して位置付けられている、請求項４３に記載のアセンブリ。
【請求項４９】
着用可能な物品を備えるシステムであって、請求項４３に記載のアセンブリが前記着用可能な物品上に装着されており、前記着用可能な物品が、電動構成要素と、前記第１および第２の接点部材から前記電動構成要素に延在する導電性リードと、をさらに含む、システム。
【請求項５０】
方法であって、
第１の接点部材および第２の接点部材をキャリアに接続することであって、前記第１の接点部材が、第１の接点パッド、および前記第１の接点パッドから延在して、第１の電気接点を形成する第１のアームを含み、前記第２の接点部材が、第２の接点パッド、および前記第２の接点パッドから延在して、第２の電気接点を形成する第２のアームを含む、接続することと、
容器を提供することであって、前記容器が、チャンバを画定し、かつ前記チャンバへのアクセスを提供する開口部を有し、それにより、前記容器が、電子モジュールを、前記開口部を介した前記電子モジュールの挿入によって前記チャンバ内で取り外し可能に受容するように構成され、前記容器が、前記開口部と連通している空洞を有する、提供することと、
前記キャリアを前記容器内の前記空洞内に挿入して、前記キャリアを前記容器と係合させて、ハウジングを形成し、それにより、前記キャリアが前記第１および第２の電気接点を支持して、前記チャンバ内に露出され、かつ前記電子モジュールが前記チャンバ内に受容されたときの前記電子モジュールのコネクタへの取り外し可能な電子接続のために構成された、インターフェースを形成することであって、前記第１のアームおよび前記第２のアームが、前記容器の外側に延在し、それにより、前記第１の接点パッドおよび前記第２の接点パッドが、前記容器の外面に隣接して位置付けられる、形成することと、
第１の導電性リードを前記第１の接点パッドに接続し、第２の導電性リードを前記第２の接点パッドに接続して、前記第１および第２の導電性リードを前記第１および第２の電気接点との電気通信状態に配置することであって、前記第１および第２の導電性リードが、前記第１および第２の接点パッドから離れて延在する、配置することと、
少なくとも前記第１の接点パッドおよび前記第２の接点パッドを絶縁材料によって被覆することと、を含む、方法。
【請求項５１】
前記第１の接点パッドおよび前記第２の接点パッドが、各々、少なくとも１つの突起を有し、前記第１および第２の導電性リードが、前記少なくとも１つの突起の周囲に巻き付くことによって前記第１および第２の接点パッドに接続される、請求項５０に記載の方法。
【請求項５２】
前記第１および第２の導電性リードが、スティッチングによって前記第１および第２の接点パッドに接続される、請求項５０に記載の方法。
【請求項５３】
前記絶縁材料が、前記容器の外側に位置付けられた前記第１および第２の接点部材の全ての部分を被覆する、請求項５０に記載の方法。
【請求項５４】
前記絶縁材料が、前記第１および第２の接点パッドに隣接する前記容器の部分を被覆する、請求項５０に記載の方法。
【請求項５５】
前記キャリアが、前記キャリアから外向きに突出する第１の支柱および第２の支柱を有し、前記第１および第２の接点部材が、前記キャリアの前記第１の支柱を前記第１の接点部材内の第１の受容部内に圧入し、かつ前記キャリアの前記第２の支柱を前記第２の接点部材内の第２の受容部内に圧入することによって、前記キャリアに接続される、請求項５０に記載の方法。
【発明の詳細な説明】
【技術分野】
【０００１】
本発明は、概して、衣服の物品および他の着用可能な物品、より具体的には、電子モジュールとの係合のために上部に装着されたハウジングを有する着用可能な物品に関する。
【０００２】
関連出願の相互参照
本出願は、２０１７年４月１２日出願の米国仮特許出願第６２／４８４，７３２号、および２０１７年４月１２日出願の米国仮特許出願第６２／４８４，７３９号に対する優先権およびその利益を主張し、これらの先願は、それらの全体が本明細書に組み込まれる。
【背景技術】
【０００３】
既存の技術は、衣服の物品および他の着用可能な物品との電子構成要素の統合のための様々な構成を提供する。しかしながら、既存の技術によって提供された構造および製造方法は、特定の制限および欠点に悩まされている。例えば、取り外し可能な電子モジュールを着用可能な物品に装着する能力を提供する構造、特に電力を物品の電動構成要素に提供するモジュールに対する必要性が存在する。取り外し可能な電子モジュール用のハウジングを着用可能な物品に接続するための効率的かつ効果的な製造方法に対する必要性も存在する。本開示のデバイスおよび方法は、上で考察された問題のうちの少なくともいくつか、および他の問題を克服するために、ならびに先行技術のこのタイプのボール打撃デバイスによって提供されていない利点および態様を提供するために、提供される。本開示の特徴および利点の完全な考察は、添付図面を参照して進行する、以下の詳細な説明に従う。
【発明の概要】
【０００４】
本開示の態様は、少なくとも１つの電子構成要素、および少なくとも１つの電子構成要素と通信するコネクタを有する電子モジュールと、チャンバを画定し、かつチャンバへのアクセスを提供する開口部を有するハウジングと、を含み、それにより、電子モジュールが、開口部を通ってチャンバ内に取り外し可能に挿入されるように構成される、システムに関する。ハウジングは、電子モジュールがチャンバ内に受容されたときの電子モジュールのコネクタへの取り外し可能な電子接続のために構成されたインターフェースを有し、ハウジングは、ハウジングに接続された磁石をさらに有する。電子モジュールは、電子モジュールがチャンバ内に受容されたときに磁石を検知するように構成されたセンサを含み、電子モジュールは、センサが磁石を検知しないときに、コネクタを非アクティブ化し、かつセンサが磁石を検知するときに、コネクタをアクティブ化するように構成されている。センサは、ホール効果センサであってもよく、および／またはコネクタは、様々な構成でＵＳＢポートへの接続のために構成されてもよい。
【０００５】
一態様によると、インターフェースは、チャンバ内に露出された複数の電気接点を含み、コネクタは、電気接点を係合させるように構成された複数の端子を含む。
【０００６】
別の態様によると、電子モジュールは、コネクタに給電するように構成された電源を含み、コネクタは、電源端子および接地端子を含む。
【０００７】
さらなる態様によると、ハウジングが、開口部の周囲に延在して、電子モジュールを係合させ、かつ電子モジュールをチャンバ内に保持する、リップを有する。
【０００８】
さらに別の態様によると、ハウジングは、チャンバを少なくとも部分的に画定する容器と、容器に接続され、かつインターフェースをチャンバ内からアクセス可能であるように支持するように構成された、キャリアと、を含む。一構成では、キャリアは、凹部を含み、磁石は、チャンバに隣接して凹部内に装着されている。別の構成では、磁石は、キャリアおよび容器が、磁石を係合させて、磁石を定位置に保持するように、キャリアと容器との間に装着されている。
【０００９】
本開示の追加の態様は、チャンバを画定する複数の壁を有し、かつチャンバへのアクセスを提供する壁のうちの少なくとも１つを通る開口部を有する、容器と、チャンバ内に露出された複数の電気接点を有するインターフェースと、ハウジングに接続されている磁石と、を含む、ハウジングに関する。容器は、開口部を介した電子モジュールの挿入によってチャンバ内に電子モジュールを取り外し可能に受容するように構成され、インターフェースは、電子モジュールがチャンバ内に受容されたときの電子モジュールのコネクタへの取り外し可能な電子接続のために構成されている。磁石は、磁石の磁場がチャンバを貫通するように位置付けられている、および／または構成されている。
【００１０】
一態様によると、磁石は、ハウジング内に埋設され、チャンバに物理的に露出されていない。
【００１１】
別の態様によると、ハウジングはまた、容器に接続され、かつチャンバ内に露出されるようにインターフェースの接点を支持するように構成された、キャリアを含む。一構成では、キャリアは、凹部を含み、磁石は、チャンバに隣接して凹部内に装着されている。別の構成では、磁石は、キャリアおよび容器が、磁石を係合させて、磁石を定位置に保持するように、キャリアと容器の壁のうちの１つとの間に装着されている。
【００１２】
さらなる態様によると、容器は、チャンバを画定する複数の壁を有し、磁石は、複数の壁のうちの１つの外面上に装着されている。
【００１３】
本開示の他の態様は、本明細書に説明されるハウジング、および電子モジュールを含むシステムに関し、電子モジュールは、電子モジュールがチャンバ内に受容されたときに磁石を検知するように構成されたセンサを有する。電子モジュールは、センサが磁石を検知しないときに、コネクタを非アクティブ化するように構成され、電子モジュールは、センサが磁石を検知するときにコネクタをアクティブ化するように構成されている。
【００１４】
本開示のさらなる態様は、電子モジュールと、チャンバを画定し、かつチャンバへのアクセスを提供する開口部を有するハウジングと、を含み、それにより、電子モジュールが、開口部を通ってチャンバ内に取り外し可能に挿入されるように構成される、システムに関する。電子モジュールは、少なくとも電源を収容するケーシング、および電源と通信するコネクタを含み、コネクタは、複数の接続端子を有するＵＳＢ形式コネクタであり、ＵＳＢ形式コネクタは、コンピュータデバイスに接続されたＵＳＢポート内への挿入によるコンピュータデバイスとの通信のために構成されている。ハウジングは、電子モジュールがチャンバ内に受容されたときの電子モジュールのコネクタへの取り外し可能な電子接続のために構成されたインターフェースを有する。ハウジングのインターフェースは、チャンバ内に露出された電源接点および接地接点を含み、電源接点は、ＵＳＢ形式コネクタの複数の接続端子のうちの第１の端子を係合させ、接地接点は、ＵＳＢ形式コネクタの複数の接続端子のうちの第２の端子を係合させ、それにより、電子モジュールの電源が、第１の端子および第２の端子を介して電源接点および接地接点を通して給電するように構成される。ＵＳＢ形式コネクタの複数の接続端子は、インターフェースによって係合されない追加の端子を含む。
【００１５】
一態様によると、ＵＳＢ形式コネクタの複数の接続端子は、４つの接続端子を含む。
【００１６】
別の態様によると、電子モジュールは、ケーシング内に収容され、かつＵＳＢ形式コネクタを介した通信のために構成された、コンピュータ構成要素をさらに含む。
【００１７】
さらなる態様によると、ハウジングは、開口部の周囲に延在して、電子モジュールを係合させ、かつ電子モジュールをチャンバ内に保持する、リップを含む。
【００１８】
さらに別の態様によると、ハウジングは、チャンバを少なくとも部分的に画定する容器と、容器に接続され、かつインターフェースをチャンバ内からアクセス可能であるように支持するように構成された、キャリアと、を含む。一構成では、キャリアは、第１のスロット、および第１のスロットに対して平行かつ並んでいる第２のスロットを有し、電源接点および接地接点は、接点ばねの形態である。本構成では、電源接点は、第１のスロット内に位置付けられ、接地接点は、第２のスロット内に位置付けられ、それにより、第１および第２のスロットは、電源接点および接地接点が、コネクタによって係合されたときに上向きに撓むための空間を提供する。
【００１９】
またさらなる態様によると、システムはまた、着用可能な物品を含み、ハウジングは、着用可能な物品に接続され、それによって支持される。着用可能な物品は、電動構成要素、および電動構成要素をシステムの電源接点および接地接点に接続する導電性リードを含み、それにより、電子モジュールは、電子モジュールがチャンバ内に受容されたときに、導電性リードを通して電動構成要素に動力供給する。
【００２０】
本開示のまたさらなる態様は、ユーザの身体上に着用されるように構成された着用可能な物品と、着用可能な物品上に装着された発光デバイスまたは他の電動構成要素と、着用可能な物品上に装着され、チャンバを画定し、チャンバへのアクセスを提供する開口部を有するハウジングと、開口部を通ってチャンバ内に取り外し可能に挿入されるように構成された電子モジュールと、を含む、システムに関する。ハウジングは、チャンバ内に露出された電気接点とのインターフェースを有し、複数の電気リードが、発光デバイスをハウジングのインターフェースの電気接点に接続する。電子モジュールは、少なくとも、電源、および電源と通信するコネクタを収容するケーシングを含み、電子モジュールのコネクタは、電子モジュールがチャンバ内に受容されたときのインターフェースの電気接点への取り外し可能な電子接続のために構成されている。電子モジュールは、電子モジュールがチャンバ内に受容されたときに、インターフェースおよび電気リードを介して電源から発光デバイスに電力を提供するように構成されている。
【００２１】
一態様によると、電子モジュールのコネクタは、ＵＳＢ形式コネクタであり、電子モジュールは、ケーシング内に収容され、かつＵＳＢ形式コネクタを介した通信のために構成された、コンピュータ構成要素をさらに含む。
【００２２】
別の態様によると、ハウジングは、開口部の周囲に延在して、電子モジュールを係合させ、かつ電子モジュールをチャンバ内に保持する、リップを含む。
【００２３】
さらなる態様によると、ハウジングは、チャンバを少なくとも部分的に画定する容器と、容器に接続され、かつインターフェースをチャンバ内からアクセス可能であるように支持するように構成された、キャリアと、を含む。
【００２４】
さらに別の態様によると、ハウジングは、ハウジングの外周の周囲に外向きに延在するフランジと、チャンバおよび開口部を画定する中心部分と、を有し、着用可能な物品は、フランジの周囲でハウジングに接続され、中心部分は、開放され、かつ着用可能な物品の外部からアクセス可能である。
【００２５】
またさらなる態様によると、ハウジングは、接合材料によって着用可能な物品に接続されている。
【００２６】
本開示の態様はまた、容器を含むハウジングであって、容器は、チャンバを画定し、かつチャンバへのアクセスを提供する容器の上側上の開口部を有し、それにより、容器が、電子モジュールを、開口部を介した電子モジュールの挿入によってチャンバ内で取り外し可能に受容するように構成されている、容器と、第１および第２の接点部材と、を含む、アセンブリに関する。第１の接点部材は、上側の反対の容器の下側上でチャンバの外側に位置付けられた第１の接点パッドを有し、第１の接点パッドから容器の壁を通って延在して、チャンバ内に露出された第１の電気接点を形成する、第１のアームをさらに含み、第１の接点パッドは、第１のアームに対して拡大された幅を有する。第２の接点部材は、第１の接点パッドに隣接して容器の下側上でチャンバの外側に位置付けられた第２の接点パッドと、第２の接点パッドから容器の壁を通って延在して、チャンバ内に露出された第２の電気接点を形成する、第２のアームと、を有し、第２の接点パッドは、第２のアームに対して拡大された幅を有する。第１の電気接点および第２の電気接点は、チャンバ内に露出され、かつ電子モジュールがチャンバ内に受容されたときの電子モジュールのコネクタへの取り外し可能な電子接続のために構成された、インターフェースを形成する。
【００２７】
一態様によると、ハウジングは、キャリアをさらに含み、キャリアは、キャリアが容器内の空洞内に受容されるように容器と係合され、第１および第２の接点部材は、キャリアが第１および第２の電気接点がチャンバ内に露出されるようにキャリアと係合されている。一構成では、キャリアは、第１のスロット、および第１のスロットに対して平行かつ並んでいる第２のスロットを含み、第１および第２の電気接点は、接点ばねの形態である。本構成では、第１の電気接点は、第１のスロット内に位置付けられ、第２の電気接点は、第２のスロット内に位置付けられ、それにより、第１および第２のスロットは、第１および第２の電気接点が、電子モジュールのコネクタによって係合されたときに上向きに撓むための空間を提供する。別の構成では、容器内の空洞は、容器の外部に開放されている。さらなる構成では、キャリアは、保持タブを含み、容器は、係合表面を含み、保持タブは、係合表面を係合させて、キャリアを空洞内に保持する。
【００２８】
別の態様によると、第１および第２のアームは、第１および第２の接点パッドと第１および第２の電気接点との間で１８０°の屈曲を形成する。
【００２９】
さらなる態様によると、アセンブリはまた、第１および第２の接点パッド、ならびに第１および第２の接点パッドに隣接する容器の下側の部分を被覆する絶縁材料を含む。
【００３０】
本開示の追加の態様は、チャンバを画定し、チャンバへのアクセスを提供する開口部を含む容器を有するハウジングと、容器と係合されたキャリアと、を含み、それにより、キャリアが容器内の空洞内に受容される、アセンブリに関し、アセンブリは、第１および第２の接点部材をさらに含んでいる。容器は、開口部を介した電子モジュールの挿入によってチャンバ内に電子モジュールを取り外し可能に受容するように構成されている。第１の接点部材は、容器の下位部からチャンバ内に延在して、チャンバ内に露出された第１の電気接点を形成する第１のアームを含み、第２の接点部材は、容器の外部からチャンバ内に延在して、チャンバ内に露出された第２の電気接点を形成する第２のアームを含む。第１および第２の接点部材は、キャリアと係合され、それにより、キャリアが、第１および第２の電気接点をチャンバ内に露出されるように支持する。第１の電気接点および第２の電気接点が、チャンバ内に露出され、かつ電子モジュールがチャンバ内に受容されたときの電子モジュールのコネクタへの取り外し可能な電子接続のために構成された、インターフェースを形成する。
【００３１】
一態様によると、キャリアは、第１のスロット、および第１のスロットに対して平行かつ並んでいる第２のスロットを含み、第１および第２の電気接点は、接点ばねの形態である。第１の電気接点は、第１のスロット内に位置付けられ、第２の電気接点は、第２のスロット内に位置付けられ、それにより、第１および第２のスロットは、第１および第２の電気接点は、電子モジュールのコネクタによって係合されたときに上向きに撓むための空間を提供する。
【００３２】
別の態様によると、容器内の空洞は、容器の外部に開放されている。
【００３３】
さらなる態様によると、キャリアは、保持タブを含み、容器は、係合表面を含み、保持タブは、係合表面を係合させて、キャリアを空洞内に保持する。
【００３４】
さらに別の態様によると、第１の接点部材は、容器の外面に隣接してチャンバの外側に位置する第１の接点パッドをさらに含み、それにより、第１のアームは、第１の接点パッドから第１の電気接点に延在し、第２の接点部材は、容器の外面に隣接してチャンバの外側に位置する第２の接点パッドをさらに含み、それにより、第２のアームは、第２の接点パッドから第２の電気接点に延在している。
【００３５】
またさらなる態様によると、キャリアは、容器の外部に露出されたベースと、ベースから空洞内に上向きに延在するネックと、ネックからチャンバ内に延在する棚板と、を含み、棚板は、第１および第２の電気接点に隣接して位置付けられている。
【００３６】
本開示のさらなる態様は、チャンバを画定し、かつチャンバへのアクセスを提供する開口部を有する容器を含むハウジングと、容器と係合されたキャリアであって、それにより、キャリアが容器内の空洞内に受容される、キャリアと、第１および第２の接点部材と、を含む、アセンブリに関する。容器は、開口部を介した電子モジュールの挿入によってチャンバ内に電子モジュールを取り外し可能に受容するように構成され、キャリアは、キャリアから外向きに突出する第１の支柱および第２の支柱を有する。第１の接点部材は、チャンバ内に露出された第１の電気接点を有し、第１の接点部材は、キャリアがチャンバ内に露出されている第１の電気接点を支持するように、キャリアと係合される。第２の接点部材は、チャンバ内に露出された第２の電気接点を有し、第２の接点部材は、キャリアがチャンバ内に露出されている第２の電気接点を支持するように、キャリアと係合される。キャリアの第１および第２の支柱は、第１の接点部材内の第１の受容部および第２の接点部材内の第２の受容部内に圧入されて、第１および第２の接点部材をキャリアに接続する。第１の電気接点および第２の電気接点は、チャンバ内に露出され、かつ電子モジュールがチャンバ内に受容されたときの電子モジュールのコネクタへの取り外し可能な電子接続のために構成された、インターフェースを形成する。
【００３７】
一態様によると、キャリアは、第１のスロット、および第１のスロットに対して平行かつ並んでいる第２のスロットを含み、第１および第２の電気接点は、接点ばねの形態である。第１の電気接点は、第１のスロット内に位置付けられ、第２の電気接点は、第２のスロット内に位置付けられ、それにより、第１および第２のスロットは、第１および第２の電気接点は、電子モジュールのコネクタによって係合されたときに上向きに撓むための空間を提供する。
【００３８】
別の態様によると、容器内の空洞は、容器の外部に開放されている。
【００３９】
さらなる態様によると、キャリアは、保持タブを含み、容器は、係合表面を含み、保持タブは、係合表面を係合させて、キャリアを空洞内に保持する。
【００４０】
さらに別の態様によると、第１の接点部材は、容器の外面に隣接してチャンバの外側に位置する第１の接点パッドと、第１の接点パッドから第１の電気接点に延在する第１のアームと、を有し、第２の接点部材は、容器の外面に隣接してチャンバの外側に位置する第２の接点パッドと、第２の接点パッドから第２の電気接点に延在する第２のアームと、を有する。
【００４１】
またさらなる態様によると、キャリアは、容器の外部に露出されたベースと、ベースから空洞内に上向きに延在するネックと、ネックからチャンバ内に延在する棚板と、を含み、棚板は、第１および第２の電気接点に隣接して位置付けられている。
【００４２】
本開示の他の態様は、本明細書に説明されるアセンブリを有する着用可能な物品を含むシステムに関し、アセンブリは、第１および第２の接点パッドが着用可能な物品の内側上に位置するように、着用可能な物品上に装着されている。着用可能な物品は、電動構成要素と、第１および第２の接点パッドから電動構成要素に延在する導電性リードと、をさらに含む。
【００４３】
本開示のまたさらなる態様は、容器との使用のための方法に関し、容器は、チャンバを画定し、かつチャンバへのアクセスを提供する開口部を有し、それにより、容器が、電子モジュールを、開口部を介した電子モジュールの挿入によってチャンバ内で取り外し可能に受容するように構成され、容器は、開口部と連通している空洞を有している。本方法は、第１の接点部材および第２の接点部材をキャリアに接続することを含み、第１の接点部材は、第１の接点パッド、および第１の接点パッドから延在して、第１の電気接点を形成する第１のアームを有し、第２の接点部材は、第２の接点パッド、および第２の接点パッドから延在して、第２の電気接点を形成する第２のアームを有する。キャリアは、次いで、容器内の空洞内に挿入されて、キャリアを容器と係合させて、ハウジングを形成し、それにより、キャリアが第１および第２の電気接点を支持して、チャンバ内に露出され、かつ電子モジュールがチャンバ内に受容されたときの電子モジュールのコネクタへの取り外し可能な電子接続のために構成された、インターフェースを形成することを含み、第１のアームおよび第２のアームは、容器の外側に延在し、それにより、第１の接点パッドおよび第２の接点パッドが、容器の外面に隣接して位置付けられる。第１および第２の導電性リードは、第１および第２の接点パッドに接続されて、第１および第２のリードを第１および第２の電気接点と電子通信する状態に配置し、第１および第２の導電性リードは、第１および第２の接点パッドから離れて延在し、少なくとも第１および第２の接点パッドは、絶縁材料で被覆される。
【００４４】
一態様によると、第１の接点パッドおよび第２の接点パッドは、各々、少なくとも１つの突起を有し、第１および第２の導電性リードが、少なくとも１つの突起の周囲に巻き付くことによって第１および第２の接点パッドに接続される。
【００４５】
別の態様によると、第１および第２の導電性リードが、スティッチングによって第１および第２の接点パッドに接続される。
【００４６】
さらなる態様によると、絶縁材料は、容器の外側に位置付けられた第１および第２の接点部材の全ての部分を被覆する。
【００４７】
さらに別の態様によると、絶縁材料は、第１および第２の接点パッドに隣接する容器の部分を被覆する。
【００４８】
またさらなる態様によると、キャリアは、キャリアから外向きに突出する第１の支柱および第２の支柱を有し、第１および第２の接点部材が、キャリアの第１の支柱を第１の接点部材内の第１の受容部内に圧入し、かつキャリアの第２の支柱を第２の接点部材内の第２の受容部内に圧入することによって、キャリアに接続される。
【００４９】
本開示の他の特徴および利点は、添付の図面と関連してなされる以下の説明から明らかになるであろう。
【図面の簡単な説明】
【００５０】
本発明のより完全な理解を可能にするために、ここで、例として、以下の添付図面を参照して説明されることになる。
【図１】本開示の態様による、電子モジュールの一実施形態の上部正面斜視図である。
【図２】本開示の態様による、ハウジングの一実施形態と係合された図１のモジュールの上部背面斜視図である。
【図３】図２のハウジングおよびモジュールの部分断面図である。
【図４】図２のハウジングの上部正面斜視図である。
【図５】図２のハウジングの上部背面斜視図である。
【図６】本開示の態様による、図２のハウジングを含むハウジングアセンブリの一実施形態の底部背面斜視図である。
【図７】本開示の態様による、図６のハウジングアセンブリの一対の電気接点部材の一実施形態の上部背面斜視図である。
【図８】本開示の態様による、接点部材と係合された図６のハウジングアセンブリのキャリアの一実施形態の上部背面斜視図である。
【図９】図８のキャリアおよび接点部材の部分的な底部正面斜視図である。
【図１０】図８のキャリアおよび接点部材の部分的な上部正面斜視図である。
【図１１】図８のキャリアおよび接点部材と係合された図１のモジュールの上部背面斜視図であり、キャリアおよび接点部材が、部分的に透明に示されている。
【図１２Ａ】図６のハウジングアセンブリの部分的な長手方向の断面図である。
【図１２Ｂ】図６のハウジングアセンブリの横断面図である。
【図１３】本開示の態様による、ハウジングアセンブリの一部分を被覆する絶縁材料の一実施形態を含む、図６のハウジングアセンブリの底部背面斜視図である。
【図１４】本開示の態様による、ハウジングアセンブリの別の実施形態の底面図である。
【図１５】本開示の態様による、ハウジングアセンブリの別の実施形態の底面図である。
【図１６】本開示の態様による、スカートまたはジャケットの形態の着用可能な物品の一実施形態の背面図であり、そこに接続されたハウジングアセンブリを有し、物品の外側を示している。
【図１７】ハウジングアセンブリおよび図１６の着用可能な物品の外側の一部分の平面図である。
【図１８】物品の内側を例示するために裏返しに示される、図１６の着用可能な物品およびハウジングアセンブリの背面図である。
【図１９】ハウジングアセンブリおよび図１６の着用可能な物品の内側の一部分の平面図であり、導電性リードがハウジングアセンブリに接続されている。
【図２０】本開示の態様による、ハウジングアセンブリの別の実施形態の底部背面斜視図である。
【図２１】図２０のハウジングアセンブリの底部背面斜視図である。
【図２２】本開示の態様による、キャリア、接点部材、および導電性リードの別の実施形態の底部正面斜視図である。
【図２３】本開示の態様による、図１のハウジングを着用可能な物品に接続するためのプロセスの一実施形態におけるステップを示す上部背面斜視図である。
【図２４】図１のハウジングを着用可能な物品に接続するためのプロセスの実施形態における別のステップを示す分解斜視図である。
【図２５】図１のハウジングを着用可能な物品に接続するためのプロセスの実施形態における別のステップを示す斜視図である。
【図２６】本開示の態様による、ハウジングアセンブリの別の実施形態の底面図であり、導電性リードがハウジングアセンブリに接続されている。
【図２７】本開示の態様による、着用可能な物品に接続されたハウジングアセンブリの別の実施形態の平面図である。
【図２８】本開示の態様による、着用可能な物品に接続されたハウジングアセンブリの別の実施形態の平面図である。
【図２９】図２７の線２９−２９に沿った断面図である。
【図３０】本開示の態様による、電子モジュールの一実施形態の概略図である。
【図３１】本開示の態様による、電子モジュールの別の実施形態の概略図である。
【図３２】実施形態の例による、個人トレーニングを提供する、および／またはユーザの肉体的運動からデータを取得するように構成され得るシステムの一例を例示する。
【図３３】図３２のシステムの一部であり得る、またはそれと通信し得るコンピュータデバイスの一例を例示する。
【発明を実施するための形態】
【００５１】
本発明による様々な構造例の以下の説明では、本明細書の一部を形成し、かつ本発明の態様が実行され得る様々なデバイス、システム、および環境の例の例示によって示される、添付図面が参照される。部品、デバイス例、システム、および環境の他の特定の構成が利用されてもよく、構造的および機能的修正が本発明の範囲から逸脱せずになされ得ることが理解されるべきである。「上」、「底」、「前」、「後ろ」、「側部」、「背部」、「一次」、「二次」などの用語が、本発明の様々な特徴および要素の例を説明するために本明細書に使用され得るが、これらの用語は、例えば、図に示される配向の例または通常の使用中の配向に基づいて、便宜上使用される。加えて、本明細書に使用される「複数」という用語は、非結合的または結合的のいずれかで、必要に応じて、無限数までの１を超える任意の数を示す。本明細書では、本発明の範囲内に収まるために、構造の特定の３次元的配向を要求するように解釈されるべきではない。また、添付図面が必ずしも一定の比率の縮尺ではないことに注意されたい。
【００５２】
次の用語が本明細書に使用され、別途記載されるか、または文脈から明らかでない限り、それらの用語は、以下に提供される意味を有する。
【００５３】
本明細書に使用される、構成要素を「提供する」という用語は、物品に対して実施されることになる将来的な作用に対して物品を利用可能またはアクセス可能にすることを幅広く意味し、物品を提供する当事者が物品を製造、生産、もしくは供給したこと、または物品を提供する当事者が物品の所有権または支配を有することを暗示するものではない。
【００５４】
本出願は、参照によって、２０１３年３月１４日出願の米国特許出願第１３／８２８，８９３号、２０１５年１１月１９日出願の米国特許出願第１４／９４６，６８２号、２０１５年１１月１９日出願の米国特許出願第１４／９４６，６７０号、２０１５年１１月１９日出願の米国特許出願第１４／９４６，６７４号、２０１５年１１月１９日出願の米国特許出願第１４／９４６，６９１号、２０１４年１１月１９日出願の米国仮特許出願第６２／０８２，１１３号、２０１５年１月７日出願の米国仮特許出願第６２／１００，７８２号、２０１５年４月１０日出願の米国仮特許出願第６２／１４６，０２９号、２０１５年５月２９日出願の米国仮特許出願第６２／１６８，３５７号、２０１５年５月２９日出願の米国仮特許出願第６２／１６８，５０２号、２０１５年９月８日出願の米国仮特許出願第６２／２１５，４９７号、２０１６年７月８日出願の米国仮特許出願第６２／３５９，８７９号、および２０１６年６月３０日出願の米国仮特許出願第６２／３５６，９６０号を組み込む。
【００５５】
概して、本開示の態様は、衣服の物品１０との接続のために構成されたハウジング２０に関し、ハウジング２０は、電子モジュール８０、ならびに電子モジュール８０と組み合わせてハウジング２０および／または衣服の物品１０を含むシステム１２を取り外し可能に係合させ、電子モジュール８０は、衣服の物品１０および／またはユーザに対する様々な機能のために構成される。一実施形態では、衣服の物品１０は、１つ以上の電動構成要素１４を含み、電子モジュール８０の機能は、電動構成要素１４に給電することを含む。本実施形態のハウジング２０および／または衣服の物品１０は、ハウジング２０と電動構成要素１４との間の電気接続を確立して、モジュール８０が、ハウジング２０と係合されたときに、構成要素１４を給電することを可能にするように、様々な接続構造を含む。
【００５６】
衣服の物品１０の一例は、物品１０上に装着され、かつ肩領域内に位置付けられた、ハウジング２０を有する上半身用衣類（例えば、シャツまたはジャケット）の形態で図１６〜１８に示される。ハウジング２０および本明細書に説明される他の態様は、シャツ、パンツ、ボディスーツ、上着、履物、帽子、手袋、ベルトなどの従来の衣服の物品、またはアームバンド、ウエストバンド、ハーネス、または他の着用可能な物品などの、ハウジング２０を支持するように具体的に設計される専用の衣服の物品を含む、任意の衣服の物品１０と使用され得ることが理解される。一実施形態では、物品１０は、それに接続された少なくとも１つの電動構成要素１４を有する。図１６〜１８に例示される物品１０は、発光デバイス１８、例えば、発光ダイオード（ＬＥＤ）または他のデバイスの１つ以上のアレイ１６の形態の電動構成要素１４を含む。物品１０は、図１６〜１８の各腕部分１５の前腕エリア上に位置するアレイ１６を有する。一組の導電性リード１７（例えば、＋／−または電源／接地）が、各アレイ１６に接続され、アレイ１６の発光デバイス１８の全てに電力を供給するように構成される。図１６〜１８の実施形態のリード１７は、波またはジグザグパターンで構成され、弾性変形可能な材料上に装着される。本構成は、リード１７を損傷せずにスティッチングおよび撓ませることを可能にし、これは、リード１７が、使用中に動くかまたは撓む、物品１０のエリアにわたって延在するときに有利である。リード１７は、アレイ１６または他の電動構成要素１４を給電するための電源まで延在し、図１６〜１８の実施形態では、リード１７は、ハウジング２０まで延在して、モジュール８０が電源として機能することを可能にする。電動構成要素１４は、米国特許出願第１３／８２８，８９３号、米国仮特許出願第６２／３５９，８７９号、および／または米国仮特許出願第６２／３５６，９６０号に示され説明されるように構成され得る。衣服の物品１０が、物品１０と、構成要素１４、ハウジング２０、および他の特徴と、を含む、アセンブリの一部であるように考慮され得ることが理解される。
【００５７】
ハウジング２０の実施形態の一例が、図２〜１３に例示される。ハウジング２０は、物品１０とは別に形成され、接合、機械的接続、またはそれらの組み合わせなどによって、物品１０に接続される。ハウジング２０は、モジュール８０を係合させ、保持するように構成され、モジュール８０がハウジング２０内に係合されたときのモジュール８０に対する電気接続のために構成されたインターフェース３１を形成する電気接続構造３０と併せてハウジング２０を含む、ハウジングアセンブリ１９の一部として提供され得る。図２〜１３の実施形態では、ハウジング２０は、モジュール８０を受容するために構成されたチャンバ２２を画定する容器２１を備えるが、ハウジング２０は、別の実施形態では異なる構造を使用してモジュール８０を係合させ、保持し得る。ハウジング２０は、熱可塑性ポリウレタン（ＴＰＵ）材料で作製され、一実施形態では射出成形によって形成されるが、他の実施形態では、他の材料および／または他の技術で部分的または完全に作製されてもよい。一実施形態では、容器２１は、射出成形によって単一片で形成される。本実施形態の容器２１は、チャンバ２２を画定する壁２３を有し、またチャンバ２２に対するアクセスを提供するアクセス開口部２４を有する、適度に硬質のシェルである。一実施形態では、容器２１の硬さは、モジュール８０を保護するために十分であり得る。容器２１を形成する材料の硬さは、物品１０を形成する材料の硬さよりも硬くすることができる。図２〜５に示されるように、例示された実施形態の容器２１は、アクセス開口部２４の少なくとも一部分の周囲に内向きに延在し、かつチャンバ２２内にモジュール８０を保持するように機能する、リップ２５を有する。容器２１の壁２３は、本明細書により詳細に説明されるように、モジュール８０（例えば、コネクタ８１）の一部分を包囲および固定するように構成される。図２〜５の実施形態では、壁２３のうちの１つが、この包囲を形成するように容器２１の上側２７にわたって延在し、それにより、壁２３およびリップ２５が、上側２７上にアクセス開口部２４を画定する。
【００５８】
一実施形態では、ハウジング２０は、容器２１の外周の少なくとも一部分の周囲に外向きに延在し、かつ物品１０に対する接続のために構成される、フランジ２６をさらに有する。図２〜１３に示される実施形態では、フランジ２６は、概して、ハウジング２０の全周の周囲に単一平面で延在する。他の実施形態では、フランジ２６は、異なる構成（例えば、断続的）を有してもよく、または存在しなくてもよい。概して、図２〜１３に示されるハウジング２０の外面は、美観、およびハウジング２０がユーザの身体に係合したときの快適さの向上の両方のために、平滑な外形である。ハウジング２０はまた、上側２７の反対の底側２８を有する。図２〜１３の実施形態では、壁２３は、電気接続構造３０がハウジング２０に入ってインターフェース３１と接続することを可能にするように底側内に画定された第２の開口部または空洞開口部２９を有して、底側２８の大部分を形成する。
【００５９】
一実施形態では、ハウジング２０は、容器２１に接続され、かつインターフェース３１を形成するようにチャンバ２２に露出されることになる電気接続構造３０の一部分を固定および支持する、キャリア４０をさらに含む。キャリア４０は、図２〜１３の実施形態では容器２１とは別の部品として形成され、機械的係合構造によって容器２１に接続される。本実施形態のキャリア４０は、キャリア４０の横側から外向きに延在し、かつ容器２１の横側上の壁２３の内側上に位置する係合表面４２を係合させて、キャリア４０を容器２１に関して保持する、２つの保持タブ４１を有する。この係合は、図１２Ｂに示され、係合表面４２は、容器２１の壁２３上のスロット４３内に画定され、ここにタブ４１が受容される。本実施形態では、キャリア４０は、タブ４１がスロット４３内に受容されるまで、容器２１の底側２８上の空洞開口部２９を通して挿入され、タブ４１は、この挿入を補助するように傾斜表面を有する。本実施形態では、他の機械的係合構造（別々のコネクタまたは締結具を含む）および／または溶接、接合などの他のタイプの接続構造を含む、追加の接続構造が使用されてもよいことが理解される。他の実施形態では、キャリア４０は、上記の任意の構造またはそのような構造の組み合わせを含む、異なる接続構造および／または技術を使用して容器２１に接続されてもよい。
【００６０】
キャリア４０は、チャンバ２２と連通する、容器２１の内側の空洞５２内に少なくとも部分的に受容され、キャリア４０は、電気接点３４をチャンバに対して露出されるように位置付けることを可能にする。キャリア４０の構造は、チャンバ２２内に延在する棚板４６を含み、キャリア４０は、電気接点３４を収容するように棚板４６を通って延在するスロット４９を有している。キャリア４０はまた、図１０〜１２Ａに示されるように、棚板４６の後端および柱４７から前方に延在するベース４８に依存する柱４７を含み、それにより、キャリア４０は、Ｃ字形を有する。モジュール８０のコネクタ８１は、図１１に例示されるように、モジュール８０が、一実施形態でチャンバ２２内に受容されたときに、棚板４６とベース４８との間で受容され得る。加えて、図２〜１３の実施形態のベース４８の一部分は、図１２Ａに示されるように、さらに前方に延在し、容器２１と嵌合して、容器２１の壁の下に延在する。本構成は、キャリア４０と容器２１との間に、より安定した複数点接続をもたらす。さらなる実施形態では、キャリア４０は、異なる構造を有し得る、および／またはキャリア４０は、容器２１と、または容器２１の一部分と一体的に形成され得、そのため、キャリア４０は、別の部品ではない。電気接続構造３０の部分を支持するためのキャリア４０のさらなる構造が以下により詳細に説明される。
【００６１】
電気接続構造３０は、概して、モジュール８０がハウジング２０と係合されたときにモジュール８０に対する外部構成要素（例えば、電動構成要素１４および／またはリード１７）の電気接続のための経路を作成する。図２〜１３の実施形態では、電気接続構造３０は、互いに別々であり、かつインターフェース３１の電気接点３４を形成するようにチャンバ２２内に露出された部分を有する、２つの接点部材３２、３３を含む。接点部材３２、３３の数は、モジュール８０上のアクティブ端子８３の数と同一であり得ることが理解される。例えば、図２〜１３のインターフェース３１は、２つの電気接点３４（電源／接地または＋／−）を有し、コネクタ８１は、以下により詳細に説明されるように、２つのアクティブ端子８３を有する。図２〜１３に例示された接点部材３２、３３は、各々、外部構成要素（例えば、リード１７）に接続されるように構成された接点パッド３５と、接点パッド３５からチャンバ２２内に延在して、電気接点３４を形成するアーム３６と、を含む。一実施形態では、アーム３６および接点部材３２、３３は、それら自体が、各々、図７および８に示されるように、接点パッド３５と電気接点３４との間で１８０°の屈曲を形成し、アーム３６は、容器２１の底側２８に沿って延在し、次いで、容器２１内に上向きに延在し、次いで、チャンバ２２内に戻って、電気接点３４を形成する。本実施形態の接点３４は、チャンバ２２内に延在し、かつコネクタ８１上に下向きの力を加えて、堅固な接触を維持する、接点ばねとして構成され、一方でコネクタ８１の形状に適応するように上向きに撓むことができるが、他の実施形態では異なって構成されてもよい。一実施形態の接点部材３２、３３は、各々、板金材料の単一ブランク材から作製され、これは、切断、スタンピング、パンチング、ベンディングなどの様々な形成動作によって接点部材３２、３３に形成される。これは、接点部材３２、３３が迅速かつ容易に低コストで製造されることを可能にする。他の実施形態では、接点部材３２、３３は、異なる材料でおよび／または異なる技術によって形成されてもよい。
【００６２】
接点パッド３５は、アーム３６に対して拡大された幅を有するように図６〜８に示され、リード１７または他の外部構成要素の接続のための大きい表面を提供する。接点パッド３５に対するリード１７の接続は、リード１７と、リード１７が接点パッド３２、３３と連通し、それによってインターフェース３１と連通して接続される、構成要素と、を配置する。図６に示されるように、接点パッド３５は、容器２１の底側２８の幅の半分よりも大きい幅を有し得、接点パッド３５は、重なる幅によって千鳥状にされ、容器２１の底側２８の境界内で最大接触面積を提供する構造（例えば、角度付きの表面）を有する。
【００６３】
接点パッド３５は、様々な異なる構造を使用してリード１７に対する接続のために構成され得、特定のタイプのリード１７（例えば、ワイヤ、布地、糸、導電性トレースなど）に対してさらに特に適し得る。接点パッド３５は、各々、一実施形態の突起３７の周囲に巻き付くことによるリード１７の接続のための少なくとも１つの突起３７を有してもよい。図２〜１３の実施形態では、各接点パッド３５は、２つの突起３７を有し、リード１７は、図１９に示されるように、両方の突起３７の周囲に巻き付くことによって接続される。他の実施形態では、接点パッド３５は、異なる場所に位置し得、外部構成要素との接続を形成するように機能する任意の構造を有し得る。例えば、図１４の接点パッド３５は、中央スロット５４を有するリッジ付き構造を有し、外側（例えば、ワイヤリード）の周囲のリード１７の巻き付き、またはスロット５４を介したリード１７の糸通し（例えば、導電性糸リードを縫い付ける）を可能にする。別の例として、図１５の接点パッド３５は、一対のスロット５４を有し、これは、スロット５４の間のリード１７の巻き付き、または両方のスロット５４を通るリード１７の糸通しを可能にし得る。さらなる例として、リード１７は、図２６に示されるように、中間導体５５に接続され得、中間導体５５が、次いで、接点部材３２、３３に接続される。図２６の実施形態では、リード１７は、導電性糸リードであり、中間導体５５は、導電性布地片である。本構成のリード１７は、中間導体５５に縫い付けられ／スティッチングされ、中間導体５５が、次いで、２つの接点部材３２、３３の接点パッド３５に縫い付けられ／スティッチングされ、図１５に示されるように構成され得る。他の実施形態では、異なって構成されるリード１７および／または接点部材３２、３３に関するものを含む、中間導体５５の他のタイプおよび構成が使用されてもよい。図１４、１５および２６の実施形態の接点部材３２、３３が、別様に、図２〜１３の接点部材３２、３３と実質的に同様に、または本明細書に説明される任意の他の実施形態に従って、構成されてもよいことが理解される。
【００６４】
図６および１２Ａに例示されるように、本実施形態の接点パッド３５は、ハウジング２０の外部にあり、容器２１の底側２８に隣接して位置付けられており、アーム３６は、ハウジング２０の外側から容器２１の壁２３のうちの１つを通って（例えば、空洞開口部２９を通って）チャンバ２２内に延在する。加えて、接点部材３２、３３は、各々、一実施形態ではハウジング２０に対する接続のための装着構造を有する。図７〜１２Ｂの実施形態に示されるように、キャリア４０は、背面上に２つの支柱４４を有し、接点部材３２、３３のアーム３６は、各々、支柱４４のうちの一方を受容する受容部３８を有する。受容部３８を取り囲むアーム３６の部分は、拡大され、受容部３８は、本実施形態では圧入接続で支柱４４を受容するように構成される。一実施形態では、接点部材３２、３３が、構築完了後、接点部材３２、３３を定位置に固定するために、より多数の接続および／または支持点を備えてもよいこと、ならびに装着構造（例えば、支柱４４および受容部３８）が、一実施形態では、構築中、かつ容器２１に対するキャリア４０の接続前に、接点部材３２、３３をキャリア４０に接続するために使用されてもよいことが理解される。接点部材３２、３３は、他の実施形態では追加のまたは異なる装着構造を有してもよい。
【００６５】
図２２に例示される別の実施形態では、接点部材３２、３３は、ハウジング２０の外側上に位置しない接点パッド３５を有し得る。本実施形態では、接点パッド３５は、キャリア４０の後壁に沿って、かつ構築後に空洞５２内に位置する。図２２に示されるように、電気接点３４は、本実施形態では接点パッド３５から直接延在する。リード１７は、図２２では接点パッド３５に溶着されているように示されるが、接点パッド３５は、他の実施形態では他の接続構造を備えてもよい。図２２の接点パッド３５は、以下により詳細に説明されるように、キャリア４０に対する接続のための装着構造３８をさらに含む。
【００６６】
キャリア４０は、装着構造３８、４４に加えて、モジュール８０に対する接続のためにハウジング２０のチャンバ２２に露出される位置に、接点部材３２、３３の電気接点３４を位置付けるように構成される。一実施形態３では、電気接点３４は、図８〜１２Ｂに示されるように、キャリア４０内のスロット４９内に受容される。本実施形態の接点部材３２、３３のアーム３６は、上記のようにキャリア４０の背面に沿って延在し、スロット４９は、キャリア４０の後部まで通って延在し、それにより、電気接点３４は、スロット４９内に前方に延在し、スロット４９内に少なくとも部分的に受容される。スロット４９は、電気接点３４がキャリア４０の棚板４６の下のチャンバ２２に露出されることを可能にし、一方でまた、モジュール８０によって係合されたときに必要な場合、接点３４が上向きに撓むための空間を提供する。本構成のキャリア４０は、モジュール８０に対する位置付けまたは位置合わせ機能の両方、電気接点３４およびモジュールコネクタ８１の両方を接続用の定位置に位置付けること、ならびに電気接点３４に対する保護機能を提供する。キャリア４０および／または接点部材３２、３３は、他の実施形態では異なる構造を有してもよく、位置付けおよび保護機能を容易にするように相補的構造を有してもよい。
【００６７】
実施形態の一例では、ハウジング２０は、以下により詳細に説明されるように、ハウジング２０に接続され、かつモジュール８０が容器２１と係合されたときに、モジュール８０と相互作用するように構成された、磁石５０を含む。磁石５０は、磁石５０の磁場がチャンバ２２を貫通するように位置付けられる。図２〜１３の実施形態のハウジング２０は、キャリア４０と係合され、かつチャンバ２２に隣接してキャリア４０上の凹部５１内に受容される、磁石５０を含む。凹部５１は、図８〜１２Ａに例示される実施形態では柱４７から遠位である、ベース４８の遠位端上に位置する。本実施形態の磁石５０は、ハウジング２０内に埋設され、かつチャンバ２２に物理的に露出されず、磁石５０とチャンバ２２との間に位置付けられた容器２１の壁２３のうちの１つ、および磁石５０が、図１２Ａに例示されるように、壁２３の外面上に位置付けられている。磁石５０は、一実施形態ではキャリア４０および容器２１の隣接壁２３の両方による係合によって凹部５１内に固定され得る。接合材料、機械的保持構造、締結具などを含む、追加または代替の保持構造が、他の実施形態で使用されてもよい。他の実施形態では、磁石５０は、キャリア４０内または容器２１の壁２３内などの、ハウジング２０内に一体成形されてもよく、または磁石５０は、異なる構造を使用してキャリア４０上に装着されてもよい。追加の実施形態では、磁石５０は、容器２１上に装着され得る、および／または磁石５０は、磁石５０の少なくとも一部分がチャンバ２２内に物理的に露出されるように位置付けられ得る。
【００６８】
ハウジングアセンブリ１９は、まず、接点部材３２、３３および磁石５０をキャリア４０に接続することによって、一実施形態に従って構築される。図２〜１３の実施形態では、磁石５０は、磁石５０を凹部５１の内側に配置し、任意の接合材料または他の保持構造を適用することによって、固設され得る。接点部材３２、３３は、支柱４４が受容部３８内に受容され、かつ電気接点３４がスロット４９内に受容された状態で、図８〜１０に示される位置に接点部材３２、３３を配置することによってキャリア４０に接続され得る。キャリア４０、ならびにキャリア４０に接続された磁石５０および接点部材３２、３３を含むサブアセンブリは、次いで、容器２１に接続され得る。この接続は、キャリア４０を容器２１内の空洞５２内に挿入することによって達成され得る。図２〜１３の実施形態では、キャリア４０の挿入は、保持タブ４１を、スロット４３内に摺動させ、係合表面４２に係合させて、キャリア４０を空洞５２内で保持させる。この様式で接続されたとき、接点部材３２、３３の一部分は、キャリア４０と空洞５２を画定する容器２１の表面との間で係合され、磁石５０は、キャリア４０と容器の隣接壁２３との間で係合され、これは、キャリア４０および磁石５０と接点部材３２、３３との間の接続に安定性を付加する。キャリア４０の底部および空洞５２の開口部２９は、次いで、図１３に示されるように、被覆部材５３を用いて被覆され得る。被覆部材５３は、例えば、ハウジングアセンブリ１９の構成要素に接着する、一区画の材料または塗布されたコーティングとすることができる。追加的に、被覆部材５３は、耐湿性であってもよく、かつ水分、泥、もしくは他の異物の侵入に対して空洞をシールするように機能してもよく、および／または短絡に対して接点部材３２、３３を絶縁するように電気絶縁性を有してもよい。この段階でのハウジングアセンブリ１９は、次いで、着用可能な物品１０に接続され得る。
【００６９】
一実施形態では、リード１７は、物品１０に対するハウジングアセンブリ１９の接続前に接点部材３２、３３に接続される。上述のように、リード１７は、一実施形態では接点部材３２、３３上の接点パッド３５に接続され、リード１７は、図１９に示される実施形態では接点パッド３５上の突起３７の周囲に巻き付くことによって接続される。他の実施形態では、リード１７は、図１４、１５、２２および２６に示される構成などの別の構成では、接点部材３２、３３に接続され得る。代替的に、リード１７は、ハウジングアセンブリ１９が物品１０に接続された後に接点部材３２、３３に接続されてもよい。別の実施形態では、ハウジング２０は、図２０および２１に示されるなどの、物品１０に対するハウジング２０の接続後に、リード１７および接点パッド３５にアクセスするアクセス特徴を提供され得る。図２０は、容器２１が、容器２１の底側２８を形成する壁２３を通って延在する開口部７０を有する、ハウジング２０を例示し、リード１７および接点パッド３５に対するチャンバ２２内からのアクセスを提供する。開口部７０は、感電および／または異物に対する保護を行うために、所望されるアクセスが完了したときにカバー７１でシールされ得る。カバー７１は、液体シール剤、樹脂充填剤、または容器２１に接続されたカバー片などの、チャンバ２２の内面上に適用されるものであり得、カバー７１は、恒久的であってもよく、または取り外し可能であってもよい。
【００７０】
実施形態の一例では、ハウジングアセンブリ１９は、ハウジングアセンブリ１９を物品１０に接合することによって、物品１０に接続される。図２３〜２５は、ハウジング２０の少なくとも一部分上で熱プレス動作を使用してハウジングアセンブリ１９を物品１０に接合するための方法および熱プレスアセンブリ６０の一実施形態を例示する。熱プレスは、加熱活性化フィルムなどの接合材料６１を利用し得る。図２４および２５の熱プレスアセンブリ６０は、ハウジング２０のフランジ２６の周囲を熱プレスするように構成され、フランジ２６は、物品１０の隣接部分を形成する布地または他の材料の少なくとも上層６２と底層６３との間でプレスされている。上層６２および底層６３は、別々の部品であってもよく、または両方の層６２、６３を作成するために折り畳まれている単一片の一部であってもよい。追加の層が使用されてもよく、図２３〜２５に示される実施形態の上層６２および底層６３が、それぞれ、複数の上層６２または底層６３を含んでもよいことが理解される。図２３〜２５に示される熱プレスする前に、接合される構成要素は、ハウジング２０のフランジ２６の上側および底側の周囲に塗布された接合材料６１を有し、かつ上層６２および底層６３が、それぞれ、フランジ２６の上側の上および底側の下に位置付けられるなどの、接合のための層状構成に構築される。一実施形態では、ハウジングアセンブリ１９は、まず、動作中にハウジングアセンブリ１９を固定するために、一時的な接続によって、例えば、スティッチングによって、物品１０の一方または両方の層６２、６３に接続され得る。熱プレスは、米国特許出願第１４／９４６，６８２号、同第１４／９４６，６７０号、同第１４／９４６，６７４号、および同第１４／９４６，６９１号に示され説明される技術、または同様の技術のいずれかまたは全てを使用して達成され得る。
【００７１】
図２４および２５に示されるように熱プレスアセンブリ６０は、２つの対向する型片６４、６５を含み、それらは、環状の形状であり、各々が、内部開口部６６を有し、そのため、型片６４、６５は、ハウジング２０のフランジ２６の周囲のみをプレスするように構成される。本構成では、ハウジング２０の主本体が開口部６６内に受容され、そのため、型片６４、６５は、ハウジング２０の主本体または層６２、６３の隣接部分をプレスせず、これは、熱の適用を局所化し、物品１０およびハウジング２０の非プレス部分上での所望されないマークまたは変色を生じさせることを回避する。図２３〜２５に示される実施形態では、材料の層６２、６３は、容器２１の上側２７および底側２８の両方を被覆する。本構成では、孔またはスリット（図示せず）は、上層６２内に形成されて、インターフェース３１に対するアクセスを提供し、別の孔またはスリット（図示せず）は、底層６３に形成されて、接点パッド３５に対するアクセスを提供する。上層６２は、図２７および２９に示されるように、容器２１のチャンバ２２内に押し下げられ得、接点部材３２、３３のアーム３６および接点パッド３５は、図１９および２９に示されるように、底層６３を通って延在し、底層６３の下に位置し得る。一実施形態では、上層６２は、図２９に示される場所６７などで、上層６２と容器２１の１つ以上の内面との間の追加の接合材料の塗布などによって、容器２１のチャンバ２２内でハウジング２０にさらに接合され得る。追加の接合材料は、所望の場所内の熱プレスに対する上型６４の修正によって、または同一もしくは後続の熱プレス動作での別の型（図示せず）の使用によってのいずれかで熱プレスされ得る。代替的に、にかわ、セメント、または他の接着剤などの追加の接合材料は、熱プレスを必要としない場合がある。ハウジング２０の他の部分は、同様の様式で層６２、６３に接合され得る。別の実施形態では、図２８に示されるように、容器２１のアクセス開口部２４と略同一サイズの開口部６８などの、より大きい開口部が、上層６２に切削され得る。
【００７２】
リード１７が接点部材３２、３３に接続され、ハウジングアセンブリ１９が物品１０に接続された後、絶縁材料６９が、図１９に示されるように、一実施形態では、電気接続構造３０の露出された部分の一部または全部を被覆するように塗布され得る。本実施形態では、絶縁材料６９は、少なくとも接点パッド３５とリード１７に対する接続とを被覆する。図１９の実施形態の絶縁材料６９は、被覆部材５３によってまだ被覆されていない、接点パッド３５、および接点部材３２、３３のアーム３６の部分と、リード１７の部分とを含む、ハウジング２０の外側上に露出され、かつ容器２１の底側２８の下にある電気接続構造３０の全ての部分を被覆する。この絶縁材料６９は、電力が印加されたときに、接点部材３２、３３の両方が接触された場合に起こり得る、短絡および感電に抵抗する。絶縁材料６９はまた、環境内の物質、特に水分の侵入に対する、電気接続構造３０の少なくともいくつかのシールを提供し得る。これは、発汗がモジュール８０および／または電気接続構造３０の機能に影響を及ぼし、感電の危険性を増大させ得るため、ハウジングアセンブリ１９が運動競技衣類に接続されるときに特に有利である。絶縁材料６９は、一実施形態では被覆部材５３に使用された材料と同一材料とすることができる。絶縁材料６９および／または被覆部材５３の材料として使用され得る材料の例としては、ハウジングアセンブリ１９の構成要素に接着する一区画の材料または塗布されたコーティングが挙げられる。
【００７３】
他の実施形態では、異なる接合材料６１を使用することによる、または縫い付けまたは締結具などの機械的接続技術を使用することによるなどの、熱プレスを利用しない異なる接続技術が、ハウジングアセンブリ１９を物品１０に接続するために使用され得る。加えて、ハウジングアセンブリ１９は、他の実施形態では非着用可能な物品１０に関して使用され得る。ハウジングアセンブリ１９は、任意の接続技術を使用して着用可能な物品１０に接続されたときに認識され得る、かつ異なるタイプの物品１０に関して使用されたときにも認識され得る、多数の利点を提供する。
【００７４】
システム１２および／またはハウジングアセンブリ１９に関して使用可能である電子モジュール８０の例が図１〜３および１１に示される。図１〜３および１１に例示されるように、本実施形態のモジュール８０は、外部コネクタ８１を支持し、かつ１つ以上の電子構成要素８２を含有する、ケーシング８７を含む。外部コネクタ８１は、モジュール８０の意図される用途に応じて様々な構成を有し得る。図１〜３および１１の実施形態では、コネクタ８１は、複数の端子８３を含むＵＳＢ形式コネクタであり、これは、充電および／またはポートに接続されたコンピュータデバイスとの通信などのために、ＵＳＢポートに接続され得る。図３０および３１は、モジュール８０の実施形態を概略的に例示する。電子構成要素８２は、一実施形態では少なくとも電源９０を含み得、プロセッサ９１、メモリ９２、入力出力デバイス（Ｉ／Ｏ）９３、送信機／受信機（ＴＸ／ＲＸ）９４、ならびに／または図３０および３１に例示され、以下により詳細に説明される他の構成要素を含む、追加の電子構成要素を含み得る。図３０は、モジュール８０が給電のみの使用のために構成され、データ収集、性能監視、または通信用ではない、一実施形態を例示する。本実施形態では、モジュール８０は、電源９０、プロセッサ９１（プリント回路基板の形態であり得る）、および以下により詳細に説明される磁気センサ８６を含む。メモリなどの他の構成要素が、他の実施形態で含められてもよい。図３１は、モジュール８０が、給電、ならびにデータ収集、性能監視、および／または通信を含む、複数の機能のために構成される、別の実施形態を例示する。本実施形態では、モジュール８０は、メモリ９２、Ｉ／Ｏ９３、およびＴＸ／ＲＸ９４を追加的に含む。モジュール８０は、簡潔さのために例示されない本明細書に説明されるセンサなどの追加の構成要素を含んでもよく、モジュール８０が他の実施形態で追加または代替の構成要素をさらに含んでもよいことが理解される。
【００７５】
コネクタ８１は、モジュール８０の１つ以上の電子構成要素８２に接続され得る。例えば、図１〜３および１１の実施形態では、モジュール８０は、コネクタ８１を介した電力出力を提供するように構成され、コネクタ８１は、図３０および３１に示されるように、そうするために電源９０に接続される。加えて、図１〜３および１１の実施形態では、コネクタ８１は、複数の端子８３（示される実施形態では４つ）を有し、端子８３の２つのみが、インターフェース３１によってアクティブに係合され、そのため、追加の端子８３は、係合されない。より具体的には、図２〜１３の実施形態では、インターフェース３１は、２つの電気接点３４（電源および接地）を含み、図１〜３および１１のモジュール８０がハウジング２０内に挿入されたとき、電源接点３４は、第１の端子８３を係合させ、接地接点３４は、コネクタ８１の複数の端子８３のうちの第２の端子８３を係合させる。本構成では、モジュール８０の電源９０は、２つのアクティブ端子８３を介して電源および接地接点３４を通して給電するように構成され、コネクタ８１の端子８３の残りは、図３０に例示されるように、非アクティブであるか、またはインターフェース３１によってアクティブに係合されない。本構成は、コネクタ８１が、コンピュータデバイスのＵＳＢポート内への挿入のために構成されるＵＳＢ形式コネクタとして構成され、一方でまた、２つの電気接点３４のみを用いてインターフェース３１を通して給電するように機能することを可能にする。
【００７６】
別の実施形態では、モジュール８０は、追加的または代替的に、コネクタ８１を通してデータ、命令、および他の情報を送受信するように構成され得る。本実施形態のコネクタ８１は、図３１に示されるように、この機能を可能にするために、プロセッサ９１、メモリ９２、ＴＸ／ＲＸ９４、および／または他の構成要素に接続され得る。例えば、モジュール８０およびコネクタ８１は、とりわけ、運動センサ（例えば、加速度計、ジャイロスコープ、力センサ、角速度センサ、方位磁石など）、場所判定デバイス（例えば、ＧＰＳ）、光（非可視光を含む）センサ、温度センサ（周囲温度および／または体温を含む）、睡眠パターンセンサ、心拍数モニタ、画像捕捉センサ、および／または湿度センサなどの、インターフェースと通信する他の構成要素からインターフェース３１を通してデータを受信するように構成され得る。別の例として、モジュール８０およびコネクタ８１はまた、インターフェース３１を通して命令を送信して、インターフェース３１と通信する他の構成要素を制御するように構成され得る。さらなる例として、モジュール８０およびコネクタ８１は、上記のように、ハウジング２０からのモジュール８０の取り外し、およびポート内へのコネクタ８１の挿入などによって、別のコンピュータデバイス上のポートを介した通信のために構成され得る。他の構成要素とのそのような通信が、他の実施形態では無線でまたは複数のコネクタ８１の使用によって達成され得ることが理解される。
【００７７】
モジュール８０は、電子構成要素８２の動作を制御するように構成される１つ以上のボタン８４をさらに含み得る。例えば、図１〜３の実施形態では、モジュール８０は、コネクタ８１を介した電源９０の出力をアクティブ化または非アクティブ化するために、「電源」ボタンとして使用するように構成された単一ボタン８４を含む。モジュール８０のケーシング８７およびコネクタ８１、ならびに存在する場合、ボタン８４はまた、水分の侵入に対してシールされ得、これは、運動競技用途の物品１０に関して使用されるときに特に有利であり得る。一実施形態では、シールは、ケーシング８７内の任意の接合部の周囲、およびケーシング８７と端子８３またはボタン８４との間の任意の接合部８５の周囲を超音波溶接することによって達成され得る。
【００７８】
ハウジング２０は、モジュール８０がハウジング２０内に受容されたときに、モジュール８０を物理的および電気的に係合させる構造を含む。モジュール８０のコネクタ８１を物理的および電気的に係合させるように機能するインターフェース３１およびその電気接点３４は、上記のとおりである。キャリア４０は、図１１に示されるように、コネクタ８１の端の上、底および側部を係合させる。本構成では、棚板４６およびベース４８は、コネクタ８１の上および底を係合させ、棚板４６、柱４７、およびベース４８は、コネクタ８１の端を受容するように構成された受容部５７を画定するように結合する。キャリア４０はまた、棚板４６とベース４８との間に延在して受容部５７の側部をさらに画定する側壁５８を有する。容器２１の壁２３はまた、容器２１の上側２７および底側２８上の壁２３、ならびに容器２１の側部上の隣接壁２３を含む、本実施形態の受容部５７の部分を画定する。キャリア４０のベース４８および容器２１の底側２８上の壁２３は、受容部５７内に誘導する傾斜表面５９を作成するように結合し、容器２１の上側２７上の壁２３は、コネクタ８１の挿入を容易にするように、傾斜表面５９を同様に画定する。受容部５７および受容部５７を画定する構造はまた、コネクタ８１を意図しない短絡、泥、粉塵、水分などから保護するために、コネクタ８１を包囲する。アクセス開口部２４の少なくとも一部分の周囲のリップ２５は、図２および３に例示されるように、モジュール８０をチャンバ２２内に保持するようにモジュール８０をさらに係合させる。本実施形態では、リップ２５は、アクセス開口部２４の一部分のみの周囲に内向きに延在し、インターフェース３１の反対の開口部２４の端５６の横断、および端５６に隣接する開口部２４の各側部２４の一部分の下降を含む。このように構成されると、受容部５７の周囲のキャリア４０および容器２１の構造は、モジュール８０のコネクタ８１を保持し、リップ２５は、コネクタ８１の反対のモジュール８０の端を保持し、したがって、安定した複数点保持構造をもたらす。他の実施形態では、モジュール８０は、異なる接続および保持構造を使用して、他の手段でハウジング２０によって係合および保持されてもよい。
【００７９】
モジュール８０は、モジュール８０がハウジング２０および／またはインターフェース３１と係合されていないときに、コネクタ８１の端子８３のアクティブ化を防止するように機能するロックアウト特徴を有して構成され得る。図１〜１３の実施形態では、モジュール８０は、磁石５０に近接したときに磁石５０を検出するように構成される、ホール効果センサなどの磁気センサ８６を含む。磁気センサ８６は、図１１に概略的に示され、磁石５０の磁場は、磁場がチャンバ２２内に延在し、かつモジュール８０がチャンバ２２内に受容されたときにセンサ８６によって検出可能であるために十分である。本実施形態のモジュール８０は、センサ８６が磁石５０を検知しないときにコネクタ８１を非アクティブ化し、かつセンサ８６が磁石５０を検知するときにコネクタ８１をアクティブ化するように構成される。モジュール８０は、コネクタがアクティブ化されたとき、すなわち、モジュール８０がハウジング２０およびそのインターフェース３１と係合されたとき、端子８３を通して電源９０から給電するのみである。このロックアウト特徴は、モジュール８０が容器２１の外側でアクティブであるときに、ユーザが端子８３の両方に接触した場合、短絡または感電が起こり得るため、モジュール８０の安全性を向上させる。
【００８０】
本開示の態様は、複数のネットワークにわたって利用され得るシステムおよび方法に関する。この点について、特定の実施形態が、動的ネットワーク環境に適応するように構成され得る。さらなる実施形態は、異なる別個のネットワーク環境で動作可能であり得る。例えば、本明細書に説明されるモジュール８０は、いくつかの実施形態のそのような利用を可能にする構成要素および機能を含み得る。図３２および３３は、コンピュータデバイスの構造的および機能的実施形態、ならびに様々なネットワーク環境内のコンピュータデバイスの動作を例示する。モジュール８０および／またはモジュール８０と通信するコンピュータデバイスは、図３２および３３に示される実施形態によって具現化され得る。図３２は、個人トレーニングシステムとして具現化され得る、実施形態の例によるシステム１００の一例を例示する。システム１００の例は、例示的なボディエリアネットワーク（ＢＡＮ）１０２、ローカルエリアネットワーク（ＬＡＮ）１０４、および広域ネットワーク（ＷＡＮ）１０６などの、１つ以上の相互接続されたネットワークを含み得る。図３２に示されるように（そして本開示全体で説明されるように）、１つ以上のネットワーク（例えば、ＢＡＮ１０２、ＬＡＮ１０４、および／またはＷＡＮ１０６）は、互いに重なってもよく、または別様に互いに包括的であってもよい。当業者は、例示的なネットワーク１０２〜１０６が１つ以上の異なる通信プロトコルおよび／またはネットワークアーキテクチャを各々備え得、かつさらに互いにまたは他のネットワークにゲートウェイを有するように構成され得る、論理ネットワークであることを理解するであろう。例えば、ＢＡＮ１０２、ＬＡＮ１０４および／またはＷＡＮ１０６の各々は、セルラーネットワークアーキテクチャ１０８および／またはＷＡＮアーキテクチャ１１０などの、同一の物理的ネットワークアーキテクチャに動作可能に接続され得る。例えば、ＢＡＮ１０２およびＬＡＮ１０４の両方の構成要素が考慮され得るポータブル電子デバイス１１２は、伝送制御プロトコル（ＴＣＰ）、インターネットプロトコル（ＩＰ）、ならびに１つ以上のアーキテクチャ１０８および／または１１０を介したユーザデータグラムプロトコル（ＵＤＰ）などの、１つ以上の通信プロトコルに従って、ネットワークメッセージへのデータを変換および信号を制御し、かつネットワークメッセージからのデータを変換および信号を制御するように構成された、ネットワークアダプタまたはネットワークインターフェースカード（ＮＩＣ）を備え得る。これらのプロトコルは、当技術分野で周知であり、したがって、本明細書ではより詳細に考察されない。
【００８１】
ネットワークアーキテクチャ１０８および１１０は、例えば、ケーブル、ファイバ、衛星、電話、セルラー、無線などの、任意のタイプまたはトポロジーの、単独または組み合わせにおける、１つ以上の情報分散ネットワークを含み得、そのため、１つ以上の有線または無線通信チャネル（限定されるものではないが、ＷｉＦｉ（登録商標）、Ｂｌｕｅｔｏｏｔｈ（登録商標）、近距離無線通信（ＮＦＣ）および／またはＡＮＴ技術を含む）を有するなど、様々に構成され得る。したがって、図３２のネットワーク内の任意のデバイス（ポータブル電子デバイス１１２または本明細書に説明される任意の他のデバイスなど）が、異なる論理ネットワーク１０２〜１０６のうちの１つ以上に包括的に考慮され得る。これらを踏まえ、例示的なＢＡＮおよびＬＡＮ（ＷＡＮ１０６に連結され得る）の構成要素の例が説明されることになる。
【００８２】
ＬＡＮ１０４は、例えば、コンピュータデバイス１１４などの１つ以上の電子デバイスを含み得る。コンピュータデバイス１１４、またはシステム１００の任意の他の構成要素は、電話、音楽プレーヤ、タブレット、ネットブックまたは任意のポータブルデバイスなどのモバイル端末を備え得る。他の実施形態では、コンピュータデバイス１１４は、メディアプレーヤまたはレコーダ、デスクトップコンピュータ、サーバ、例えば、Ｍｉｃｒｏｓｏｆｔ（登録商標）ＸＢＯＸ、Ｓｏｎｙ（登録商標）Ｐｌａｙｓｔａｔｉｏｎ、および／またはＮｉｎｔｅｎｄｏ（登録商標）Ｗｉｉゲーミングコンソールなどのゲーミングコンソールを備え得る。当業者は、これらが、説明目的の単なるデバイスの例であり、本開示が、任意のコンソールまたはコンピューティングデバイスに限定されないことを理解するであろう。
【００８３】
当業者は、コンピュータデバイス１１４の設計および構造が、その意図される目的などの、いくつかの要因に応じて変化し得ることを理解するであろう。コンピュータデバイス１１４の実装の一例が、コンピューティングデバイス２００のブロック図を例示する図３３に提供される。当業者は、図２の開示が本明細書に開示される任意のデバイスに適用可能であり得ることを理解するであろう。デバイス２００は、プロセッサ２０２−１および２０２−２（本明細書では「複数のプロセッサ２０２」または「プロセッサ２０２」と概して称される）などの、１つ以上のプロセッサを含み得る。プロセッサ２０２は、相互接続ネットワークまたはバス２０４を介して互いにまたは他の構成要素と通信し得る。プロセッサ２０２は、単一集積回路（ＩＣ）チップ上に実装され得る、コア２０６−１および２０６−２（本明細書では「複数のコア２０６」またはより一般的に「コア２０６」と称される）などの、１つ以上の処理コアを含み得る。
【００８４】
コア２０６は、共有されたキャッシュ２０８および／またはプライベートキャッシュ（例えば、それぞれ、キャッシュ２１０−１および２１０−２）を備え得る。１つ以上のキャッシュ２０８／２１０は、プロセッサ２０２の構成要素によるより高速なアクセスのために、メモリ２１２などのシステムメモリ内に記憶されたデータをローカルにキャッシュし得る。メモリ２１２は、チップセット２１６を介してプロセッサ２０２と通信し得る。キャッシュ２０８は、特定の実施形態ではシステムメモリ２１２の一部であり得る。メモリ２１２は、限定されるものではないが、ランダムアクセスメモリ（ＲＡＭ）、読み出し専用メモリ（ＲＯＭ）を含み得、ソリッドステートメモリ、光学もしくは磁気記憶装置、および／または電子情報を記憶するために使用され得る任意の他の媒体のうちの１つ以上を含み得る。さらに他の実施形態は、システムメモリ２１２を省略し得る。
【００８５】
システム２００は、１つ以上のＩ／Ｏデバイス（例えば、Ｉ／Ｏデバイス２１４−１〜２１４−３、各々概してＩ／Ｏデバイス２１４と称される）を含み得る。１つ以上のＩ／Ｏデバイス２１４からのＩ／Ｏデータは、１つ以上のキャッシュ２０８、２１０および／またはシステムメモリ２１２に記憶され得る。Ｉ／Ｏデバイス２１４の各々は、任意の物理的または無線通信プロトコルを使用して、システム１００の構成要素と動作可能に通信するように、恒久的または一時的に構成され得る。
【００８６】
図３２を参照すると、４つのＩ／Ｏデバイス（要素１１６〜１２２として示される）の例が、コンピュータデバイス１１４と通信しているように示される。当業者は、デバイス１１６〜１２２の１つ以上がスタンドアロンデバイスであり得るか、またはコンピュータデバイス１１４以外の別のデバイスと関連付けられ得ることを理解するであろう。例えば、１つ以上のＩ／Ｏデバイスは、ＢＡＮ１０２および／またはＷＡＮ１０６の構成要素と関連付けられ得るか、またはそれらと相互作用し得る。Ｉ／Ｏデバイス１１６〜１２２は、限定されるものではないが、例えば、センサなどの運動競技データ取得ユニットを含み得る。１つ以上のＩ／Ｏデバイスは、ユーザ１２４などのユーザから運動競技パラメータを検知、検出、および／または測定するように構成され得る。例としては、限定されるものではないが、加速度計、ジャイロスコープ、場所判定デバイス（例えば、ＧＰＳ）、光（非可視光を含む）センサ、温度センサ（周囲温度および／または体温を含む）、睡眠パターンセンサ、心拍数モニタ、画像捕捉センサ、湿度センサ、力センサ、方位磁石、角速度センサ、および／またはとりわけそれらの組み合わせが挙げられる。
【００８７】
さらなる実施形態では、Ｉ／Ｏデバイス１１６〜１２２は、出力を提供する（例えば、聴覚、視覚、または触覚キュー）および／または運動選手１２４からのユーザ入力などの入力を受信するために使用され得る。これらの例示的なＩ／Ｏデバイスの使用例が以下に提供されるが、当業者は、そのような考察が本開示の範囲内の多くの選択肢のいくつかの単なる記述であることを理解するであろう。さらに、任意のデータ取得ユニット、Ｉ／Ｏデバイス、またはセンサに対する参照は、本明細書に開示されるか、または当技術分野で既知の、１つ以上のＩ／Ｏデバイス、データ取得ユニット、および／またはセンサ（個々にまたは組み合わせのいずれか）を有し得る実施形態を開示すると解釈されるべきである。
【００８８】
１つ以上のデバイスからの情報（１つ以上のネットワークにわたる）は、限定されるものではないが、速度、加速度、距離、歩数、方向、特定の身体部分または物体の他に対する相対運動、または角速度、直進速度もしくはそれらの組み合わせとして表現され得る他の運動パラメータなどの運動パラメータ、カロリー、心拍数、汗の検出、労力、酸素消費量、酸素反応速度、ならびに圧力、衝撃力、運動選手に関する情報、例えば、身長、体重、年齢、人口統計情報およびそれらの組み合わせなどの、１つ以上の分類内に収まり得る他の基準などの、生理学的パラメータを含む、様々な異なるパラメータ、基準または生理学的特性を提供する（またはそれらの形態で利用される）ために使用され得る。
【００８９】
システム１００は、システム１００内に収集されるか、または別様にシステム１００に提供される、パラメータ、基準、または生理学的特性を含む、運動競技データを送信および／または受信するように構成され得る。一例として、ＷＡＮ１０６は、サーバ１１１を備え得る。サーバ１１１は、図３３のシステム２００の１つ以上の構成要素を有し得る。一実施形態において、サーバ１１１は、少なくとも、プロセッサ２０６およびメモリ２１２などの、プロセッサおよびメモリを備える。サーバ１１１は、非一時的コンピュータ可読媒体上にコンピュータ実行可能命令を記憶するように構成され得る。命令は、システム１００内に収集された生のまたは処理されたデータなどの運動競技データを含み得る。システム１００は、エネルギー消費点などのデータをソーシャルネットワーキングウェブサイトに送信するか、またはそのようなサイトをホストするように構成され得る。サーバ１１１は、１人以上のユーザが運動競技データにアクセスおよび／またはそれらを比較することを可能にするために利用され得る。そのため、サーバ１１１は、運動競技データまたは他の情報に基づいて通知を送信および／または受信するように構成され得る。
【００９０】
ＬＡＮ１０４に戻ると、コンピュータデバイス１１４は、ディスプレイデバイス１１６、画像捕捉デバイス１１８、センサ１２０および運動デバイス１２２と動作可能に通信するように示され、これらは、次いで、実施形態の例を参照して以下で考察される。一実施形態では、ディスプレイデバイス１１６は、視聴覚キューを運動選手１２４に提供して、特定の運動競技運動を実施させ得る。視聴覚キューは、ＢＡＮ１０２および／またはＷＡＮのデバイスを含む、コンピュータデバイス１１４または任意の他のデバイス上で実行されるコンピュータ実行可能命令に応答して提供され得る。ディスプレイデバイス１１６は、タッチ画面デバイスであってもよく、または別様にユーザ入力を受信するように構成されてもよい。
【００９１】
一実施形態では、データは、単独または他のデバイスとの組み合わせのいずれかで、運動競技パラメータを検出（および／または測定）するために使用され得る、画像捕捉デバイス１１８および／もしくはセンサ１２０などの他のセンサ、または記憶された情報から取得され得る。画像捕捉デバイス１１８および／またはセンサ１２０は、送受信デバイスを備え得る。一実施形態では、センサ１２８は、赤外線（ＩＲ）、電磁気（ＥＭ）または音響送受信機を備え得る。例えば、画像捕捉デバイス１１８、および／またはセンサ１２０は、波形を環境内に送信し得、これは、運動選手１２４の方向に向かうことを含み、「反射」を受信するか、または別様にそれらの関連した波形の変形を検出する。当業者は、多数の異なるデータスペクトルに対応する信号が、様々な実施形態によって利用され得ることを理解するであろう。この点について、デバイス１１８および／または１２０は、外部ソース（例えば、システム１００ではない）から放出された波形を検出し得る。例えば、デバイス１１８および／または１２０は、ユーザ１２４および／または周囲環境から放出されている熱を検出し得る。したがって、画像捕捉デバイス１２６および／またはセンサ１２８は、１つ以上の熱画像デバイスを備え得る。一実施形態では、画像捕捉デバイス１２６および／またはセンサ１２８は、範囲現象学を実施するように構成されたＩＲデバイスを備え得る。
【００９２】
一実施形態では、運動機器１２２は、運動選手１２４が、例えば、トレッドミル、ステップマシンなどの肉体的運動を実施することを可能または容易にするように構成可能な任意のデバイスとすることができる。デバイスが静止している必要はない。この点について、無線技術は、ポータブルデバイスが利用されることを可能にし、したがって、自転車または他のモバイル運動デバイスが、特定の実施形態によって利用され得る。当業者は、機器１２２がコンピュータデバイス１１４から遠隔に実施された運動競技データを含有する電子デバイスを受容するためのインターフェースとすることができるか、またはそれを備え得ることを理解するであろう。例えば、ユーザは、スポーツデバイス（ＢＡＮ１０２に関して以下に説明される）を使用して、家または機器１２２の場所に戻る際に、運動競技データを要素１２２またはシステム１００の任意の他のデバイスにダウンロードし得る。本明細書に開示される任意のＩ／Ｏデバイスが、活動データを受信するように構成され得る。
【００９３】
ＢＡＮ１０２は、運動競技データを受信、送信、または別様に収集を容易にするように構成された２つ以上のデバイス（受動デバイスを含む）を含み得る。代表的なデバイスは、１つ以上のデータ取得ユニット、センサ、または当技術分野で既知の、もしくは限定されるものではないが、Ｉ／Ｏデバイス１１６〜１２２を含む、本明細書に開示されるデバイスを含み得る。ＢＡＮ１０２の２つ以上の構成要素は、直接通信し得、さらに他の実施形態では、通信は、ＢＡＮ１０２、ＬＡＮ１０４、および／またはＷＡＮ１０６の一部であり得る第３のデバイスを介して行われ得る。ＬＡＮ１０４またはＷＡＮ１０６の１つ以上の構成要素は、ＢＡＮ１０２の一部を形成し得る。特定の実装形態では、ポータブルデバイス１１２などのデバイスは、ＢＡＮ１０２、ＬＡＮ１０４、および／またはＷＡＮ１０６の一部であるか否かにかかわらず、アクセスポイントに対する運動選手の近接度に応じて、モバイルセルラーネットワークアーキテクチャ１０８および／またはＷＡＮアーキテクチャ１１０との通信を可能にする。ユーザ活動および／または選好もまた、１つ以上の構成要素がＢＡＮ１０２の一部として利用され得るか否かに影響を及ぼし得る。実施形態の例が本明細書に提供される。
【００９４】
ユーザ１２４は、ポータブルデバイス１１２、靴装着デバイス１２６もしくは手首着用デバイス１２８などの１つ以上の身体装着デバイスなどの任意の数のデバイス、および／または情報を収集するために使用される物理的デバイスもしくは場所を含み得る、検知場所１３０などの検知場所と関連付けられ得る。１つ以上のデバイス１１２、１２６、１２８、および／または１３０は、健康または運動競技目的に特別に設計されていなくてもよい。実際に、本開示の態様は、運動競技データを収集、検出、および／または測定するために、複数のデバイスからのデータを利用することに関し、それらのいくつかは、健康デバイスではない。特定の実施形態では、ＢＡＮ１０２（または任意の他のネットワーク）の１つ以上のデバイスは、健康デバイスまたは特定のスポーツ用途に特別に設計されているスポーツデバイスを備え得る。本明細書に使用される際、「スポーツデバイス」という用語は、特定のスポーツまたは健康活動中に使用され得るか、または関係し得る、任意の物理的物体を含む。代表的なスポーツデバイスとしては、限定されるものではないが、ゴルフボール、バスケットボール、野球ボール、サッカーボール、フットボール、パワーボール、ホッケーパック、ウエイト、バット、クラブ、スティック、パドル、マット、およびそれらの組み合わせが挙げられ得る。さらなる実施形態では、代表的な健康デバイスは、ゴールネット、フープ、バックボード、フィールドの部分、例えば、中心線、外側境界マーカ、ベース、およびそれらの組み合わせなどの、環境自体を含む、特定のスポーツを行う、スポーツ環境内の物体を含み得る。
【００９５】
この点について、当業者は、１つ以上のスポーツデバイスもまた、構造体の一部であってもよく（またはそれを形成する）、逆に、構造体が、１つ以上のスポーツデバイスを備えてもよく、またはスポーツデバイスと相互作用するように構成されてもよいことを理解するであろう。例えば、第１の構造体は、バスケットボールのフープおよびバックボードを備えてもよく、これは、ゴールポストとともに取り外しおよび置き換えられ得る。この点について、１つ以上のスポーツデバイスは、１つ以上の構造体と関連付けられた１つ以上のセンサなどの、独立して、または他のセンサと併せて利用される情報を提供し得る、図３２および３３に関して上で考察されたセンサのうちの１つ以上などの、１つ以上のセンサを備え得る。例えば、バックボードは、バスケットボールによる力および力の方向を測定するように構成された第１のセンサを備え得、その上、バックボードおよびフープは、力を検出するために第２のセンサを備え得る。同様に、ゴルフクラブは、シャフトに帰するグリップを検出するように構成された第１のセンサと、ゴルフボールとの衝撃を測定するように構成された第２のセンサと、を備え得る。
【００９６】
例示的なポータブルデバイス１１２を見ると、それは、例えば、Ｃｕｐｅｒｔｉｎｏ、ＣａｌｉｆｏｒｎｉａのＡｐｐｌｅ，Ｉｎｃから入手可能なＩＰＯＤ（登録商標）、ＩＰＡＤ（登録商標）、もしくはｉＰｈｏｎｅ（登録商標）、またはＲｅｄｍｏｎｄ、ＷａｓｈｉｎｇｔｏｎのＭｉｃｒｏｓｏｆｔから入手可能なＺｕｎｅ（登録商標）もしくはＭｉｃｒｏｓｏｆｔ（登録商標）Ｗｉｎｄｏｗｓデバイスを含む、電話またはデジタル音楽プレーヤを含む多目的電子デバイスとすることができる。当技術分野で既知のように、デジタルメディアプレーヤは、コンピュータ用の出力デバイス、入力デバイス、および／または記憶デバイスとして機能し得る。デバイス１１２は、ＢＡＮ１０２、ＬＡＮ１０４、またはＷＡＮ１０６内の１つ以上のデバイスから収集された生のまたは処理されたデータを受信するための入力デバイスとして構成され得る。１つ以上の実施形態では、ポータブルデバイス１１２は、コンピュータデバイス１１４の１つ以上の構成要素を備え得る。例えば、ポータブルデバイス１１２は、モバイル端末を備えるように、追加の構成要素を伴って、または伴わずに、上で考察されたＩ／Ｏデバイス１１６〜１２２のいずれかなどの、ディスプレイ１１６、画像捕捉デバイス１１８、および／または１つ以上のデータ取得デバイスを含み得る。
【００９７】
特定の実施形態では、Ｉ／Ｏデバイスは、ユーザ１２４の衣類、または時計、アームバンド、リストバンド、ネックレス、シャツ、靴などを含む装身具内に形成され得るか、または別様にそれらと関連付けられ得る。これらのデバイスは、ユーザの運動競技運動を監視するように構成され得る。それらが、コンピュータデバイス１１４とのユーザ１２４の相互作用中、および／またはコンピュータデバイス１１４（または本明細書に開示される任意の他のデバイス）の独立した動作中の運動競技運動を検出し得ることが理解されるべきである。例えば、ＢＡＮ１０２内の１つ以上のデバイスは、ユーザの近接度またはコンピュータデバイス１１４との相互作用にかかわらず活動を測定する、終日の活動モニタとして機能するように構成され得る。
【００９８】
本明細書に説明されるハウジング、モジュール、着用可能な物品、システム、ならびに他の構成要素および方法の実施形態のいずれかは、別途記載されない限り、構造的特徴、機能的特徴、プロセスステップ、および／または特性を含む、本明細書に説明される他の実施形態に関する本明細書に説明される特徴のいずれかを含み得ることが理解される。本明細書に説明されるハウジング、モジュール、着用可能な物品、およびシステムの様々な構成要素の特別なサイズ、形状、配向、および場所は、単に例であり、これらの特徴または特性のいずれかが、他の実施形態で変更されてもよいことが理解される。
【００９９】
本明細書に説明されるハウジング、モジュール、着用可能な物品、システムは、既存の技術に勝る利点を提供することができる。例えば、本明細書に説明されるハウジングアセンブリおよび接続構造は、モジュールへの電源リードの接続を可能にする、着用可能な物品上での取り外し可能な電子モジュールを装着する安全な手段を提供する。これは、それにより、着用可能な物品が電動構成要素を含むことを可能にする。これらの構造はまた、ユーザに対する快適さおよび全範囲の運動を維持しつつ、そのような取り外し可能なモジュールを装着するための構成を提供する。ハウジングアセンブリの絶縁材料およびロックアウト特徴は、電源リードとの接触によってユーザを感電させるリスクを回避するさらなる利点を提供する。本明細書に説明される製造方法は、ハウジングアセンブリを着用可能な物品、特に衣類の物品または布地材料から作製された他の物品に接続するための効率的かつ効果的な技術を提供する。他の利益が、当業者によって認識および理解され得る。
【０１００】
本発明が、本発明を実行する現在の好ましい方式を含む特定の例に関して説明されてきたが、当業者は、上記のシステムおよび方法の多数の変形および置換が存在することを理解するであろう。したがって、本発明の趣旨および範囲は、添付の特許請求の範囲に明らかにされるように幅広く解釈されるべきである。
【図１】
0006884881.tif 000002
【図２】
0006884881.tif 000003
【図３】
0006884881.tif 000004
【図４】
0006884881.tif 000005
【図５】
0006884881.tif 000006
【図６】
0006884881.tif 000007
【図７】
0006884881.tif 000008
【図８】
0006884881.tif 000009
【図９】
0006884881.tif 000010
【図１０】
0006884881.tif 000011
【図１１】
0006884881.tif 000012
【図１２Ａ】
0006884881.tif 000013
【図１２Ｂ】
0006884881.tif 000014
【図１３】
0006884881.tif 000015
【図１４】
0006884881.tif 000016
【図１５】
0006884881.tif 000017
【図１６】
0006884881.tif 000018
【図１７】
0006884881.tif 000019
【図１８】
0006884881.tif 000020
【図１９】
0006884881.tif 000021
【図２０】
0006884881.tif 000022
【図２１】
0006884881.tif 000023
【図２２】
0006884881.tif 000024
【図２３】
0006884881.tif 000025
【図２４】
0006884881.tif 000026
【図２５】
0006884881.tif 000027
【図２６】
0006884881.tif 000028
【図２７】
0006884881.tif 000029
【図２８】
0006884881.tif 000030
【図２９】
0006884881.tif 000031
【図３０】
0006884881.tif 000032
【図３１】
0006884881.tif 000033
【図３２】
0006884881.tif 000034
【図３３】
0006884881.tif 000035